(57)【要約】【課題】巻線の設計上の自由度を高めることができる電機子を提供する。【解決手段】電機子コア１２は、周方向に６０個のスロットを有し、周方向に並ぶ１０個の磁極と径方向に対向する。電機子コア１２には、該電機子コア１２を周回するように６相の巻線が巻回されている。そして、各相の巻線における電機子コア１周分の巻線は、周方向に６スロットピッチ毎のスロットに３本ずつ収容された電気導体６１が連結されて構成されている。【選択図】図３
2014117072.tif 000002
【特許請求の範囲】
【請求項１】
周方向に複数のスロットを有し周方向に並ぶＰ個（但し、Ｐは２以上の整数）の磁極と径方向に対向する電機子コアと、
前記電機子コアを周回するように前記電機子コアにそれぞれ巻装されたｍ相（但し、ｍは自然数）の巻線と、を備え、
前記スロットの数は、Ｐ×ｍ×ｎ個（但し、ｎは自然数）であり、
各相の前記巻線における前記電機子コア１周分の巻線は、周方向にｍｎスロットピッチ毎の前記スロットに（２ｓ＋１）本（但し、ｓは自然数）ずつ収容された電気導体が連結されて構成されていることを特徴とする電機子。
【請求項２】
請求項１に記載の電機子において、
各相の前記巻線は、周方向にｍｎスロットピッチ毎の３個の前記スロットに巻装された小巻線を周方向に複数有し、
各前記小巻線は、周方向にｍｎスロットピッチ毎の３個の前記スロットのうち中央の前記スロットに収容された（２ｓ＋１）本の前記電気導体と、中央の前記スロットに対して周方向の一方側に位置する前記スロットに収容された（ｓ＋１）本の電気導体と、中央の前記スロットに対して周方向の他方側に位置する前記スロットに収容されたｓ本の前記電気導体とを有し、中央の前記スロット内の（２ｓ＋１）本の前記電気導体のうちの何れかの前記電気導体と、中央の前記スロットに対して周方向の一方側に位置する前記スロット内の（ｓ＋１）本の前記電気導体のうちの何れかの前記電気導体とが前記電機子コアの軸方向の両側のうちの一側で連結されるとともに、中央の前記スロット内の（２ｓ＋１）本の前記電気導体のうちの何れかの前記電気導体と、中央の前記スロットに対して周方向の他方側に位置する前記スロット内のｓ本の前記電気導体のうちの何れかの前記電気導体とが前記電機子コアの軸方向の両側のうちの他側で連結されており、
周方向に隣り合う前記小巻線が巻装された３個ずつの前記スロットは、中央の前記スロットが２ｍｎスロットピッチ離間するとともに、周方向の一方側の前記小巻線が巻装された３個の前記スロットのうち中央の前記スロットに対して周方向の他方側に位置する前記スロットと、周方向の他方側の前記小巻線が巻装された３個の前記スロットのうち中央の前記スロットに対して周方向の一方側に位置する前記スロットとが同一の前記スロットであることを特徴とする電機子。
【請求項３】
請求項２に記載の電機子において、
各相の前記巻線は、１個の前記スロットに収容された１本の前記電気導体若しくは周方向にｍｎスロットピッチ離間した２個の前記スロットに収容された２本の前記電気導体を有するセグメント導体を複数連結して構成されており、
各前記スロットの内部では、複数の前記電気導体が径方向に一列に並んでいることを特徴とする電機子。
【請求項４】
請求項３に記載の電機子において、
各相の前記巻線は、周方向にｍｎスロットピッチ離間した２つの前記スロットを軸方向に貫通する２本の前記電気導体の軸方向の一端が連結部にて連結されたセグメント導体を複数連結して構成されており、
それぞれが有する２本の前記電気導体が同じ２つの前記スロットに収容された複数の前記セグメント導体のうち少なくとも２本の前記セグメント導体は、前記連結部が周方向に重なるとともに前記連結部の頂点における前記電機子コアの軸方向の一端面からの高さが等しいことを特徴とする電機子。
【請求項５】
請求項３又は請求項４に記載の電機子において、
６相の前記巻線を備え、
各前記スロット内では、６本の前記電気導体が径方向に一列に並んでおり、
前記電機子コアの軸方向の一端側では、周方向にｍｎスロットピッチ離間した２つの前記スロットのうち一方の前記スロット内の径方向内側から１番目の前記電気導体と他方の前記スロット内の径方向内側から６番目の前記電気導体とが、一方の前記スロット内の径方向内側から３番目の前記電気導体と他方の前記スロット内の径方向内側から５番目の前記電気導体とが、一方の前記スロット内の径方向内側から２番目の前記電気導体と他方の前記スロット内の径方向内側から４番目の前記電気導体とがそれぞれ連結され、更に、複数の前記スロットのうち径方向内側から６番目の前記電気導体が給電用の電気導体とされた前記スロット内の径方向内側から５番目の前記電気導体は、当該前記スロットから周方向にｍｎスロットピッチ離間した前記スロットであって径方向内側から３番目の前記電気導体が中性点を形成するための電気導体とされた前記スロット内の径方向内側から１番目の前記電気導体と接続され、
前記電機子コアの軸方向の他端側では、径方向内側から６番目の前記電気導体と径方向内側から５番目の前記電気導体とであって周方向にｍｎスロットピッチ離間した２本の前記電気導体が連結され、径方向内側から４番目の前記電気導体と径方向内側から１番目の前記電気導体とであって周方向にｍｎスロットピッチ離間した２本の前記電気導体が連結され、更に、径方向内側から２番目の前記電気導体と径方向内側から３番目の前記電気導体とであって周方向にｍｎスロットピッチ離間した２本の前記電気導体が連結され、
各相の前記巻線は、前記電機子コアに分布巻にて巻装されて前記電機子コアを２周するとともに、前記電機子コア１周分の巻線における前記スロットあたりの前記電気導体の本数が３本であることを特徴とする電機子。
【請求項６】
請求項３又は請求項４に記載の電機子において、
６相の前記巻線を備え、
各前記スロット内では、６本の前記電気導体が径方向に一列に並んでおり、
前記電機子コアの軸方向の一端側では、周方向にｍｎスロットピッチ離間した２つの前記スロットのうち一方の前記スロット内の径方向内側から３番目の前記電気導体と他方の前記スロット内の径方向内側から６番目の前記電気導体とが、一方の前記スロット内の径方向内側から１番目の前記電気導体と他方の前記スロット内の径方向内側から５番目の前記電気導体とが、一方の前記スロット内の径方向内側から２番目の前記電気導体と他方の前記スロット内の径方向内側から４番目の前記電気導体とがそれぞれ連結され、更に、複数の前記スロットのうち径方向内側から６番目の前記電気導体が給電用の電気導体とされた前記スロット内の径方向内側から５番目の前記電気導体は、当該前記スロットから周方向にｍｎスロットピッチ離間した前記スロットであって径方向内側から１番目の前記電気導体が中性点を形成するための電気導体とされた前記スロット内の径方向内側から３番目の前記電気導体と接続され、
前記電機子コアの軸方向の他端側では、径方向内側から６番目の前記電気導体と径方向内側から５番目の前記電気導体とであって周方向にｍｎスロットピッチ離間した２本の前記電気導体が連結され、径方向内側から４番目の前記電気導体と径方向内側から３番目の前記電気導体とであって周方向にｍｎスロットピッチ離間した２本の前記電気導体が連結され、更に、径方向内側から２番目の前記電気導体と径方向内側から１番目の前記電気導体とであって周方向にｍｎスロットピッチ離間した２本の前記電気導体が連結され、
各相の前記巻線は、前記電機子コアに分布巻にて巻装されて前記電機子コアを２周するとともに、前記電機子コア１周分の巻線における前記スロットあたりの前記電気導体の本数が３本であることを特徴とする電機子。
【請求項７】
請求項１乃至請求項６の何れか１項に記載の電機子と、
周方向に並び前記電機子コアと径方向に対向するＰ個（但し、Ｐは２以上の整数）の磁極と
を備えたことを特徴とするモータ。
【発明の詳細な説明】
【技術分野】
【０００１】
本発明は電機子及びモータに関するものである。
【背景技術】
【０００２】
例えば特許文献１に記載された電機子は、周方向に並ぶ複数の磁極と径方向に対向する電機子コアの複数のスロットに複数相の巻線を巻装して形成されている。そして、各相の巻線は、複数のセグメント導体から構成されている。複数のセグメント導体は、棒状をなす一対の電気導体と、対をなす電気導体同士の長手方向の一端部を連結するターン部とから構成されており、略Ｕ字状をなしている。各セグメント導体の対をなす電気導体は、周方向に並ぶ複数のスロットのうち周方向に所定磁極ピッチ離間した２つのスロットに挿入されている。即ち、各相の巻線は、周方向に所定磁極ピッチ毎の複数のスロットに挿入されたセグメント導体から構成されている。また、各スロットには、４本の電気導体が挿入されるとともに、これら４本の電気導体は径方向に一列に並んでいる。同じスロット内で径方向に並ぶ４本の電気導体のうち最も径方向内側に位置する電気導体を含むセグメント導体と、径方向内側から２番目の電気導体を含むセグメント導体とは、それぞれが有する一対の電気導体が同じ２つのスロットに挿入されるとともに、互いのターン部が電機子コアの軸方向の一端側で軸方向に重なっている。また、各電気導体の先端部（電気導体におけるターン部と反対側の長手方向端部）は、電機子コアの軸方向の他端側で周方向に屈曲されるとともに、対応する電気導体の先端部と接続されている。このように、複数のセグメント導体を規則的にスロットに挿入して接続することにより、分布巻にて巻装され電機子コアを周方向に２周する各相の巻線が形成される。尚、各相の巻線においては、１周目の巻線と２周目の巻線とは、当該１周目の巻線と２周目の巻線とを接続するためのセグメント導体によって接続されている。また、どの１つの相の巻線においても、電機子コア１周分の巻線におけるスロットあたりの電気導体の本数は２本となっている。
【０００３】
また、特許文献２には、電機子コアに３相の巻線を巻装した電機子が記載されている。各相の巻線は、特許文献１に記載されたセグメント導体と同様の複数のセグメント導体であって周方向に所定磁極ピッチ毎の複数のスロットに挿入された複数のセグメント導体から構成されている。そして、同じスロット内で径方向に並ぶ６本の電気導体のうち最も径方向内側に位置する電気導体を含むセグメント導体と、径方向内側から２番目の電気導体を含むセグメント導体と、径方向内側から３番目の電気導体を含むセグメント導体とは、それぞれが有する一対の電気導体が同じ２つのスロットに挿入されるとともに、互いのターン部が電機子コアの軸方向の一端側で軸方向に重なっている。また、各電気導体の先端部（電気導体におけるターン部と反対側の長手方向端部）は、電機子コアの他端側で周方向に屈曲されるとともに、対応するセグメント導体の先端部と接続されている。このように、複数のセグメント導体を規則的にスロットに挿入して接続することにより、重ね巻の巻線と波巻の巻線とが交互に連結されて電機子コアを１周する巻線と、波巻の巻線が連結されて電機子コアを１周する巻線とを連結用のセグメント導体によって連結した各相の巻線が形成される。そして、どの１つの相の巻線においても、重ね巻の巻線と波巻の巻線とが交互に連結されて電機子コアを１周する巻線は、スロットあたりの電気導体の本数が２本であり、波巻の巻線が連結されて電機子コアを１周する巻線は、スロットあたりの電気導体の本数が１本となっている。
【０００４】
尚、特許文献２には、スロットあたりの電気導体の本数が奇数本となる巻線についての示唆がある。この巻線は、重ね巻の巻線と波巻の巻線とが交互に連結されて電機子コアを１周する巻線、即ちスロットあたりの電気導体の本数が２本である巻線と、波巻の巻線が連結されて電機子コアを１周する巻線、即ちスロットあたりの電気導体の本数が１本である巻線とを連結用のセグメント導体によって連結したものである。即ち、この巻線は、電機子コアを１周する巻線を２つ連結した構成とすることにより、スロットあたりの電気導体の本数を奇数本としている。
【先行技術文献】
【特許文献】
【０００５】
【特許文献１】特開２０００−１６６１４８号公報
【特許文献２】特開２０００−９２７６６号公報
【発明の概要】
【発明が解決しようとする課題】
【０００６】
特許文献１に記載された電機子の各相の巻線は、電機子コア１周分の巻線におけるスロットあたりの電気導体の本数が偶数本となるもののみである。従って、電機子コア１周分の巻線におけるスロットあたりの電気導体の本数が奇数本となるように各相の巻線を形成することができず、当該電機子を備えるモータにおいて要求される出力特性を実現することが困難となることがあった。
【０００７】
また、特許文献２には、各相の巻線を、スロットあたりの電気導体の本数が奇数本となるように構成した例が記載されている。しかし、この各相の巻線は、電機子コアを１周する巻線を複数連結することにより、各相の巻線においてスロットあたりの電気導体の本数を３以上の奇数本としたものである。そのため、電機子コアを１周する巻線同士を連結する連結用のセグメント導体が必要となってしまう。
【０００８】
本発明は、上記課題を解決するためになされたものであって、その目的は、巻線の設計上の自由度を高めることができる電機子及びモータを提供することにある。
【課題を解決するための手段】
【０００９】
上記課題を解決する電機子は、周方向に複数のスロットを有し周方向に並ぶＰ個（但し、Ｐは２以上の整数）の磁極と径方向に対向する電機子コアと、前記電機子コアを周回するように前記電機子コアにそれぞれ巻装されたｍ相（但し、ｍは自然数）の巻線と、を備え、前記スロットの数は、Ｐ×ｍ×ｎ個（但し、ｎは自然数）であり、各相の前記巻線における前記電機子コア１周分の巻線は、周方向にｍｎスロットピッチ毎の前記スロットに（２ｓ＋１）本（但し、ｓは自然数）ずつ収容された電気導体が連結されて構成されている。
【００１０】
この構成によれば、各相の巻線において、電機子コア１周分の巻線におけるスロットあたりの電気導体の本数が（２ｓ＋１）本（但し、ｓは自然数）、即ち奇数本となっている。従って、電機子コア１周分の巻線におけるスロットあたりの電気導体が奇数本となるように各相の巻線を形成することが可能となる。その結果、各相の巻線の設計上の自由度を高めることができる。
【００１１】
上記電機子において、各相の前記巻線は、周方向にｍｎスロットピッチ毎の３個の前記スロットに巻装された小巻線を周方向に複数有し、各前記小巻線は、周方向にｍｎスロットピッチ毎の３個の前記スロットのうち中央の前記スロットに収容された（２ｓ＋１）本の前記電気導体と、中央の前記スロットに対して周方向の一方側に位置する前記スロットに収容された（ｓ＋１）本の電気導体と、中央の前記スロットに対して周方向の他方側に位置する前記スロットに収容されたｓ本の前記電気導体とを有し、中央の前記スロット内の（２ｓ＋１）本の前記電気導体のうちの何れかの前記電気導体と、中央の前記スロットに対して周方向の一方側に位置する前記スロット内の（ｓ＋１）本の前記電気導体のうちの何れかの前記電気導体とが前記電機子コアの軸方向の両側のうちの一側で連結されるとともに、中央の前記スロット内の（２ｓ＋１）本の前記電気導体のうちの何れかの前記電気導体と、中央の前記スロットに対して周方向の他方側に位置する前記スロット内のｓ本の前記電気導体のうちの何れかの前記電気導体とが前記電機子コアの軸方向の両側のうちの他側で連結されており、周方向に隣り合う前記小巻線が巻装された３個ずつの前記スロットは、中央の前記スロットが２ｍｎスロットピッチ離間するとともに、周方向の一方側の前記小巻線が巻装された３個の前記スロットのうち中央の前記スロットに対して周方向の他方側に位置する前記スロットと、周方向の他方側の前記小巻線が巻装された３個の前記スロットのうち中央の前記スロットに対して周方向の一方側に位置する前記スロットとが同一の前記スロットであることが好ましい。
【００１２】
この構成によれば、各相の巻線が周方向に複数の小巻線を有することで、各相の巻線における電機子コア１周分の巻線において、ｍｎスロットピッチ毎のスロット内の電気導体の本数を容易に（２ｓ＋１）本、即ち奇数本とすることができる。
【００１３】
上記電機子において、各相の前記巻線は、１個の前記スロットに収容された１本の前記電気導体若しくは周方向にｍｎスロットピッチ離間した２個の前記スロットに収容された２本の前記電気導体を有するセグメント導体を複数連結して構成されており、各前記スロットの内部では、複数の前記電気導体が径方向に一列に並んでいることが好ましい。
【００１４】
この構成によれば、各スロットの内部で複数の電気導体を径方向に一列に並べることにより、各スロットの周方向の幅を狭めることができる。その結果、電機子コアの径方向の大型化を抑制することができる。また、各相の巻線において、電機子コア１周分の巻線におけるスロットあたりの電気導体の本数が偶数本である場合に比べて、各相の巻線において、周方向にｍｎスロットピッチ離間した電気導体同士を電機子コアの軸方向の一端側若しくは他端側で連結する部分が多重に重なることが抑制される。従って、周方向にｍｎスロットピッチ離間した電気導体同士を電機子コアの軸方向の一端側若しくは他端側で連結する部分が径方向に大型化されることが抑制される。その結果、周方向にｍｎスロットピッチ離間した電気導体同士を電機子コアの軸方向の一端側若しくは他端側で連結する部分が径方向に大型化されることによって生じる径方向に隣り合う電気導体間の隙間を、減少させることができる。よって、電機子の径方向の大型化を抑制することができる。
【００１５】
上記電機子において、各相の前記巻線は、周方向にｍｎスロットピッチ離間した２つの前記スロットを軸方向に貫通する２本の前記電気導体の軸方向の一端が連結部にて連結されたセグメント導体を複数連結して構成されており、それぞれが有する２本の前記電気導体が同じ２つの前記スロットに収容された複数の前記セグメント導体のうち少なくとも２本の前記セグメント導体は、前記連結部が周方向に重なるとともに前記連結部の頂点における前記電機子コアの軸方向の一端面からの高さが等しいことが好ましい。
【００１６】
この構成によれば、それぞれが有する２本の電気導体が同じ２つのスロットに収容された複数のセグメント導体のうち全てのセグメント導体の連結部が軸方向に重なる場合に比べて、各相の巻線において電機子コアの軸方向の端面から突出した部分であるコイルエンドの軸方向の高さを抑えることができる。
【００１７】
上記電機子において、６相の前記巻線を備え、各前記スロット内では、６本の前記電気導体が径方向に一列に並んでおり、前記電機子コアの軸方向の一端側では、周方向にｍｎスロットピッチ離間した２つの前記スロットのうち一方の前記スロット内の径方向内側から１番目の前記電気導体と他方の前記スロット内の径方向内側から６番目の前記電気導体とが、一方の前記スロット内の径方向内側から３番目の前記電気導体と他方の前記スロット内の径方向内側から５番目の前記電気導体とが、一方の前記スロット内の径方向内側から２番目の前記電気導体と他方の前記スロット内の径方向内側から４番目の前記電気導体とがそれぞれ連結され、更に、複数の前記スロットのうち径方向内側から６番目の前記電気導体が給電用の電気導体とされた前記スロット内の径方向内側から５番目の前記電気導体は、当該前記スロットから周方向にｍｎスロットピッチ離間した前記スロットであって径方向内側から３番目の前記電気導体が中性点を形成するための電気導体とされた前記スロット内の径方向内側から１番目の前記電気導体と接続され、前記電機子コアの軸方向の他端側では、径方向内側から６番目の前記電気導体と径方向内側から５番目の前記電気導体とであって周方向にｍｎスロットピッチ離間した２本の前記電気導体が連結され、径方向内側から４番目の前記電気導体と径方向内側から１番目の前記電気導体とであって周方向にｍｎスロットピッチ離間した２本の前記電気導体が連結され、更に、径方向内側から２番目の前記電気導体と径方向内側から３番目の前記電気導体とであって周方向にｍｎスロットピッチ離間した２本の前記電気導体が連結され、各相の前記巻線は、前記電機子コアに分布巻にて巻装されて前記電機子コアを２周するとともに、前記電機子コア１周分の巻線における前記スロットあたりの前記電気導体の本数が３本であることが好ましい。
【００１８】
この構成によれば、電機子コア１周分の巻線におけるスロットあたりの電気導体の本数が３本である６相の巻線を備えた電機子を得ることができる。
上記電機子において、６相の前記巻線を備え、各前記スロット内では、６本の前記電気導体が径方向に一列に並んでおり、前記電機子コアの軸方向の一端側では、周方向にｍｎスロットピッチ離間した２つの前記スロットのうち一方の前記スロット内の径方向内側から３番目の前記電気導体と他方の前記スロット内の径方向内側から６番目の前記電気導体とが、一方の前記スロット内の径方向内側から１番目の前記電気導体と他方の前記スロット内の径方向内側から５番目の前記電気導体とが、一方の前記スロット内の径方向内側から２番目の前記電気導体と他方の前記スロット内の径方向内側から４番目の前記電気導体とがそれぞれ連結され、更に、複数の前記スロットのうち径方向内側から６番目の前記電気導体が給電用の電気導体とされた前記スロット内の径方向内側から５番目の前記電気導体は、当該前記スロットから周方向にｍｎスロットピッチ離間した前記スロットであって径方向内側から１番目の前記電気導体が中性点を形成するための電気導体とされた前記スロット内の径方向内側から３番目の前記電気導体と接続され、前記電機子コアの軸方向の他端側では、径方向内側から６番目の前記電気導体と径方向内側から５番目の前記電気導体とであって周方向にｍｎスロットピッチ離間した２本の前記電気導体が連結され、径方向内側から４番目の前記電気導体と径方向内側から３番目の前記電気導体とであって周方向にｍｎスロットピッチ離間した２本の前記電気導体が連結され、更に、径方向内側から２番目の前記電気導体と径方向内側から１番目の前記電気導体とであって周方向にｍｎスロットピッチ離間した２本の前記電気導体が連結され、各相の前記巻線は、前記電機子コアに分布巻にて巻装されて前記電機子コアを２周するとともに、前記電機子コア１周分の巻線における前記スロットあたりの前記電気導体の本数が３本であることが好ましい。
【００１９】
この構成によれば、電機子コア１周分の巻線におけるスロットあたりの電気導体の本数が３本である６相の巻線を備えた電機子を得ることができる。
上記課題を解決するモータは、上記電機子の何れか１つと、周方向に並び前記電機子コアと径方向に対向するＰ個（但し、Ｐは２以上の整数）の磁極とを備えている。
【００２０】
この構成によれば、モータは、電機子コア１周分の巻線におけるスロットあたりの電気導体が奇数本となるように各相の巻線を形成することが可能な電機子を備えている。即ち、モータは、各相の巻線の設計上の自由度が高められた電機子を備えているため、要求される出力特性を実現しやすくなる。
【発明の効果】
【００２１】
本発明の電機子及びモータによれば、巻線の設計上の自由度を高めることができる。
【図面の簡単な説明】
【００２２】
【図１】一実施形態の電機子を備えたブラシレスモータの断面図。
【図２】（ａ）は第１実施形態の電機子の断面図、（ｂ）は電機子の部分拡大断面図。
【図３】第１実施形態における１つの相の巻線を平面状に展開した模式図。
【図４】第１実施形態における１つの相の巻線を平面状に展開した模式図。
【図５】第１実施形態における巻線用セグメントの斜視図。
【図６】第１実施形態における巻線用セグメントが挿入された電機子コアの斜視図。
【図７】（ａ）は第１実施形態における巻線用セグメントの平面図、（ｂ）は第１実施形態における巻線用セグメントの側面図。
【図８】第１実施形態の１つの相の巻線における電機子コア１周分の巻線を平面状に展開した模式図。
【図９】（ａ）は第１実施形態における第１系統の３相巻線の結線状態を示す電気回路図、（ｂ）は第１実施形態における第２系統の３相巻線の結線状態を示す電気回路図。
【図１０】（ａ）は第２実施形態の電機子の断面図、（ｂ）は第２実施形態の電機子の部分拡大断面図。
【図１１】（ａ）は第２実施形態における１つの相の巻線が巻装された電機子コアを軸方向の一端側から見た模式図、（ｂ）は第２実施形態における１つの相の巻線が巻装された電機子コアを軸方向の他端側から見た模式図。
【図１２】第２実施形態における電機子巻線を平面状に展開した模式図。
【図１３】別の実施形態における１つの相の巻線を平面状に展開した模式図。
【図１４】別の実施形態における巻線用セグメントの斜視図。
【図１５】別の実施形態における１つの相の巻線を平面状に展開した模式図。
【図１６】（ａ）は別の実施形態における１つの相の巻線が巻装された電機子コアを軸方向の一端側から見た模式図、（ｂ）は別の実施形態における１つの相の巻線が巻装された電機子コアを軸方向の他端側から見た模式図。
【図１７】別の実施形態における巻線用セグメントの斜視図。
【図１８】別の実施形態における１つの相の巻線を平面状に展開した模式図。
【発明を実施するための形態】
【００２３】
（第１実施形態）
以下、一実施形態の電機子を備えたモータについて説明する。
図１に示すように、モータとしてのブラシレスモータ１のモータケース２は、有底筒状に形成されたヨーク３と、該ヨーク３の開口部を閉塞するエンドプレート４とを有する。また、ヨーク３の底部側の端部の外側には、収容ボックス５が取着されている。
【００２４】
ヨーク３の内周面には、電機子としてのステータ１１が固定されている。このステータ１１は、ヨーク３の内周面に固定された電機子コア１２と、該電機子コア１２に巻装された電機子巻線Ｍａとを有する。
【００２５】
図２（ａ）に示すように、電機子コア１２は、円環状をなす環状部１３と、該環状部１３から径方向内側に延び周方向に並ぶ複数のティース１４とから構成されている。本実施形態では、電機子コア１２は６０個のティース１４を有する。そして、これらのティース１４は、周方向に等角度間隔（本実施形態では６°間隔）に設けられている。尚、周方向に隣り合うティース１４間の空間はスロット１５となっている。本実施形態では、電機子コア１２は、６０個のティース１４を有するため、６０個のスロット１５を有する。これらのスロット１５は、電機子コア１２の周方向に並んでいる。尚、説明の便宜上、６０個のスロット１５に周方向に順にスロット番号「１」〜「６０」を付す。図２（ａ）においては、スロット番号は、対応するスロット１５の径方向内側に白丸で囲んで図示している。また、図面が煩雑となることを避けるために、スロット番号「１」〜「６０」のうち、スロット番号「１」から順に５とびの番号のみを図示している。
【００２６】
前記電機子巻線Ｍａは、電機子コア１２のスロット１５に巻装されている。電機子巻線Ｍａは、ｍ相（但し、ｍは自然数）の巻線から構成されている。本実施形態の電機子巻線Ｍａは、第１系統３相巻線（即ち、第１Ｕ相巻線Ｍｕ１、第１Ｖ相巻線Ｍｖ１及び第１Ｗ相巻線Ｍｗ１）及び第２系統３相巻線（即ち、第２Ｕ相巻線Ｍｕ２、第２Ｖ相巻線Ｍｖ２及び第２Ｗ相巻線Ｍｗ２）から構成されている。即ち、本実施形態の電機子巻線Ｍａは、合計６相の巻線から構成されており、その相数ｍは「６」である。
【００２７】
図１に示すように、ステータ１１の内側には、ロータ２１が配設されている。ロータ２１の回転軸２２は、略円柱状をなしている。そして、回転軸２２は、ヨーク３の底部中央に設けられた軸受３１と、エンドプレート４の中央に設けられた軸受３２とによって軸支されている。即ち、ロータ２１は、該回転軸２２が軸受３１，３２によって軸支されることによりモータケース２に対して回転可能に支持されている。回転軸２２の基端部（即ちヨーク３の底部側の端部）は、ヨーク３の底部を貫通して前記収容ボックス５の内部に突出している。また、回転軸２２の先端部（即ちエンドプレート４側の端部）は、エンドプレート４を貫通してモータケース２の外部に突出している。また、回転軸２２において軸受３１と軸受３２との間となる部分に、ロータコア２３が外嵌固定されている。このロータコア２３の外周面には、マグネット２４が固着されている。マグネット２４は、周方向にＰ個（但し、Ｐは２以上の整数）の磁極が並ぶようにロータコア２３の外周面に固着されている。本実施形態では、磁極の数は１０個（即ちＰ＝１０）となっている。そして、ロータコア２３及びマグネット２４は、ステータ１１の内側に配置されるとともに、マグネット２４（１０個の磁極）は電機子コア１２と径方向に対向している。
【００２８】
前記収容ボックス５内には、駆動装置４１が収納されている。駆動装置４１は、ロータ２１の回転を制御するための回転センサ４２、ＥＣＵ（電子制御ユニット）４３、複数のスイッチングトランジスタ４４等の各種回路素子、及び回路基板４５を有する。回路基板４５は、収容ボックス５の内部で同収容ボックス５の底部に固定されている。
【００２９】
回転センサ４２は、ヨーク３の底部中央を貫通して収容ボックス５の内部に突出した回転軸２２の基端面と対向するように回路基板４５に実装されている。回転センサ４２は、本実施形態では、ＭＲセンサ等の磁気センサからなる。回転軸２２の基端面には、同回転軸２２と一体回転する検出用マグネット４２ａが固定されており、回転センサ４２は、当該検出用マグネット４２ａの回転角を検出して検出した回転角に応じた検出信号を出力する。
【００３０】
ＥＣＵ４３はマイクロコンピュータを有する。ＥＣＵ４３は、回転センサ４２が出力する検出信号に基づいて、その時々のロータ２１の回転角度、回転速度等を検出する。そして、検出したロータ２１の回転角度、回転速度等に基づいて、ＥＣＵ４３は、各相の巻線Ｍｕ１，Ｍｖ１，Ｍｗ１，Ｍｕ２，Ｍｖ２，Ｍｗ２へ給電するための制御信号を出力する。
【００３１】
複数のスイッチングトランジスタ４４は、例えばパワーＭＯＳトランジスタからなり、ＥＣＵ４３が出力する制御信号に基づいてオンオフ制御されるようになっている。各相の巻線Ｍｕ１，Ｍｖ１，Ｍｗ１，Ｍｕ２，Ｍｖ２，Ｍｗ２にそれぞれスイッチングトランジスタ４４が接続されており、各スイッチングトランジスタ４４が所定のタイミングでオンオフ制御されることによって、各相の巻線Ｍｕ１，Ｍｖ１，Ｍｗ１，Ｍｕ２，Ｍｖ２，Ｍｗ２に供給する電力が制御される。これにより、電機子巻線Ｍａによる回転磁界がステータ１１に生成される。そして、ブラシレスモータ１においては、ステータ１１に生成された電機子巻線Ｍａによる回転磁界に応じてロータ２１が回転される。
【００３２】
次に、前記電機子巻線Ｍａについて説明する。
図２（ａ）に示すように、電機子巻線Ｍａが巻装された前記電機子コア１２は、６０個のスロット１５を有する。このスロット１５の数は、マグネット２４の磁極の数Ｐ及び電機子巻線Ｍａが有する巻線の相数ｍを用いて、（Ｐ×ｍ×ｎ）個（但し、ｎは自然数）に設定されている。本実施形態では、磁極の数Ｐは「１０」、相数ｍは「６」、ｎは「１」である。
【００３３】
図２（ａ）及び図３に示すように、電機子巻線Ｍａは、第１巻線用セグメント５１、第２巻線用セグメント５２、第３巻線用セグメント５３、給電用セグメント５４、中性点用セグメント５５及び接続用セグメント５６から構成されている。即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２は、それぞれ複数のセグメント導体から構成されたＳＣ巻線（セグメントコンダクタ巻線）である。
【００３４】
図５に示すように、第１巻線用セグメント５１は、長手方向と直交する断面の形状が四角形状をなし外周面が絶縁被膜にて被覆された１本の導線を折り返すように屈曲して形成されている。この第１巻線用セグメント５１は、一対の電気導体６１と、これらの電気導体６１を同電気導体６１の長手方向の一端部で連結する連結部６２と、各電気導体６１の長手方向の他端部から延びる渡り部６３とを有する。
【００３５】
図３、図５及び図６に示すように、第１巻線用セグメント５１において、一対の電気導体６１は、それぞれ直線状の棒状をなすとともに、その長手方向の長さは、電機子コア１２の軸方向の長さと略等しく形成されている。そして、一対の電気導体６１は、電機子コア１２の周方向にｍｎスロットピッチ離間した２つのスロット１５に挿入されるべく、ｍｎスロット分離間した状態で平行に延びている。本実施形態では、相数ｍは「６」、ｎは「１」であるため、一対の電気導体６１は６スロット分だけ離間している。
【００３６】
第１巻線用セグメント５１において、前記連結部６２は、一方の電気導体６１の長手方向の一端部（図５において左側の電気導体６１の上端部）と他方の電気導体６１の長手方向の一端部（図５において右側の電気導体６１の上端部）との間に渡って設けられている。そして、連結部６２は、一方の電気導体６１の長手方向の一端部から他方の電気導体６１の長手方向の一端部側に延びる連結側渡り部６２ａと、他方の電気導体６１の長手方向の一端部から一方の電気導体６１の長手方向の一端部側に延びる連結側渡り部６２ｂと、これら連結側渡り部６２ａと連結側渡り部６２ｂとの間で連結側渡り部６２ａ，６２ｂを連結する第１円弧部６２ｃとから構成されている。第１円弧部６２ｃは、電気導体６１とは反対側に突出する略半円状をなしている。
【００３７】
第１巻線用セグメント５１において、一方の電気導体６１の長手方向の他端部（図５において左側の電気導体６１の下端部）から延びる前記渡り部６３は、その基端において一方の電気導体６１に対して屈曲されることにより、一方の電気導体６１の長手方向の一端部から延びる前記連結側渡り部６２ａと反対方向に延びている。そして、この渡り部６３の先端部には、電気導体６１と平行に延びる接続部６３ａが設けられている。同様に、第１巻線用セグメント５１において、他方の電気導体６１の長手方向の他端部（図５において右側の電気導体６１の下端部）から延びる前記渡り部６３は、その基端において他方の電気導体６１に対して屈曲されることにより、他方の電気導体６１の長手方向の一端部から延びる前記連結側渡り部６２ｂと反対方向に延びている。そして、この渡り部６３の先端部には、電気導体６１と平行に延びる接続部６３ａが設けられている。各渡り部６３の長さは、３スロット分の長さ（周方向に並ぶ２つのスロット１５を周方向に横切る長さ）となっている。
【００３８】
前記第２巻線用セグメント５２は、第１巻線用セグメント５１と同様に、長手方向と直交する断面の形状が四角形状をなし外周面が絶縁被膜にて被覆された１本の導線を折り返すように屈曲して形成されている。この第２巻線用セグメント５２は、一対の電気導体６１と、これらの電気導体６１を同電気導体６１の長手方向の一端部で連結する連結部６４と、電気導体６１の長手方向の他端部から延びる渡り部６３とを有する。
【００３９】
第２巻線用セグメント５２において、一対の電気導体６１は、第１巻線用セグメント５１の一対の電気導体６１と同様の形状をなしている。そして、第２巻線用セグメント５２の一対の電気導体６１は、第１巻線用セグメント５１の一対の電気導体６１と同様に、６スロットピッチ離間した２つのスロット１５に挿入されるべく、６スロット分だけ離間した状態で平行に延びている。
【００４０】
また、第２巻線用セグメント５２において、前記連結部６４は、一方の電気導体６１の長手方向の一端部（図５において左側の電気導体６１の上端部）と他方の電気導体６１の長手方向の一端部（図５において右側の電気導体６１の上端部）との間に渡って設けられている。そして、連結部６４は、一方の電気導体６１の長手方向の一端部から他方の電気導体６１の長手方向の一端部側に延びる連結側渡り部６４ａと、他方の電気導体６１の長手方向の一端部から一方の電気導体６１の長手方向の一端部側に延びる連結側渡り部６４ｂと、これら連結側渡り部６４ａと連結側渡り部６４ｂとの間で連結側渡り部６４ａ，６４ｂを連結する第２円弧部６４ｃとから構成されている。第２円弧部６４ｃは、電気導体６１とは反対側に突出する略半円状をなしている。この第２円弧部６４ｃの半径は、前記第１円弧部６２ｃの半径よりも小さい値となっている。
【００４１】
また、第２巻線用セグメント５２において、一方の電気導体６１の長手方向の他端部（図５において左側の電気導体６１の下端部）から延びる前記渡り部６３は、その基端において一方の電気導体６１に対して屈曲されることにより、一方の電気導体６１の長手方向の一端部から延びる前記連結側渡り部６４ａと反対方向に延びている。そして、この渡り部６３の先端部には、電気導体６１と平行に延びる接続部６３ａが設けられている。更に、第２巻線用セグメント５２において、他方の電気導体６１の長手方向の他端部（図５において右側の電気導体６１の下端部）から延びる前記渡り部６３は、その基端において他方の電気導体６１に対して屈曲されることにより、他方の電気導体６１の長手方向の一端部から延びる前記連結側渡り部６４ｂと略同方向に延びている。そして、この渡り部６３の先端部には、電気導体６１と平行に延びる接続部６３ａが設けられている。各渡り部６３の長さは、３スロット分の長さ（周方向に並ぶ２つのスロット１５を周方向に横切る長さ）となっている。
【００４２】
前記第３巻線用セグメント５３は、第１巻線用セグメント５１と同様に、長手方向と直交する断面の形状が四角形状をなし外周面が絶縁被膜にて被覆された１本の導線を折り返すように屈曲して形成されている。この第３巻線用セグメント５３は、一対の電気導体６１と、これらの電気導体６１を同電気導体６１の長手方向の一端部で連結する連結部６５と、電気導体６１の長手方向の他端部から延びる渡り部６３とを有する。
【００４３】
第３巻線用セグメント５３において、一対の電気導体６１は、第１巻線用セグメント５１の一対の電気導体６１と同様の形状をなしている。そして、第３巻線用セグメント５３の一対の電気導体６１は、第１巻線用セグメント５１の一対の電気導体６１と同様に、６スロットピッチ離間した２つのスロット１５に挿入されるべく、６スロット分だけ離間した状態で平行に延びている。
【００４４】
また、第３巻線用セグメント５３において、前記連結部６５は、一方の電気導体６１の長手方向の一端部（図５において右側の電気導体６１の上端部）と他方の電気導体６１の長手方向の一端部（図５において右側の電気導体６１の上端部）との間に渡って設けられている。そして、連結部６５は、一方の電気導体６１の長手方向の一端部から他方の電気導体６１の長手方向の一端部側に延びる連結側渡り部６５ａと、他方の電気導体６１の長手方向の一端部から一方の電気導体６１の長手方向の一端部側に延びる連結側渡り部６５ｂと、これら連結側渡り部６５ａと連結側渡り部６５ｂとの間で連結側渡り部６５ａ，６５ｂを連結する第３円弧部６５ｃとから構成されている。第３円弧部６５ｃは、電気導体６１とは反対側に突出する略半円状をなしている。この第３円弧部６５ｃの半径は、前記第１円弧部６２ｃの半径よりも小さく、前記第２円弧部６４ｃの半径と略等しい値となっている。
【００４５】
また、第３巻線用セグメント５３において、一方の電気導体６１の長手方向の他端部（図５において左側の電気導体６１の下端部）から延びる前記渡り部６３は、その基端において一方の電気導体６１に対して屈曲されることにより、一方の電気導体６１の長手方向の一端部から延びる前記連結側渡り部６５ａと略同方向に延びている。そして、この渡り部６３の先端部には、電気導体６１と平行に延びる接続部６３ａが設けられている。更に、第３巻線用セグメント５３において、他方の電気導体６１の長手方向の他端部（図５において右側の電気導体６１の下端部）から延びる前記渡り部６３は、その基端において他方の電気導体６１に対して屈曲されることにより、他方の電気導体６１の長手方向の一端部から延びる前記連結側渡り部６５ｂと反対方向に延びている。そして、この渡り部６３の先端部には、電気導体６１と平行に延びる接続部６３ａが設けられている。各渡り部６３の長さは、３スロット分の長さ（周方向に並ぶ２つのスロット１５を周方向に横切る長さ）となっている。
【００４６】
図３に示すように、前記給電用セグメント５４は、第１巻線用セグメント５１と同様に、長手方向と直交する断面の形状が四角形状をなし外周面が絶縁被膜にて被覆された１本の導線を屈曲して形成されている。尚、図３では、給電用セグメント５４を太線にて図示している。この給電用セグメント５４は、第１巻線用セグメント５１の電気導体６１と同様の電気導体６１を１本と、同電気導体６１の長手方向の一端（図３において上端）から延びる給電用引出し部６６と、同電気導体６１の長手方向の他端（図３において下端）から延びる渡り部６３とを有する。給電用セグメント５４において、給電用引出し部６６と渡り部６３とは、各々の基端部において電気導体６１に対して屈曲されている。そして、給電用引出し部６６と渡り部６３とは、電気導体６１の長手方向の両端部から互いに反対方向に延びている。また、渡り部６３は、前記第１巻線用セグメント５１の他方の電気導体６１から延びる渡り部６３と同様の形状をなしている。
【００４７】
前記中性点用セグメント５５は、第１巻線用セグメント５１と同様に、長手方向と直交する断面の形状が四角形状をなし外周面が絶縁被膜にて被覆された１本の導線を屈曲して形成されている。尚、図３では、中性点用セグメント５５を太線の破線にて図示している。この中性点用セグメント５５は、第１巻線用セグメント５１の電気導体６１と同様の電気導体６１を１本と、同電気導体６１の長手方向の一端（図３において上端）から延びる中性点用引出し部６７と、同電気導体６１の長手方向の他端（図３において下端）から延びる渡り部６３とを有する。中性点用セグメント５５において、中性点用引出し部６７と渡り部６３とは、各々の基端部において電気導体６１に対して屈曲されている。そして、中性点用引出し部６７と渡り部６３とは、電気導体６１の長手方向の両端部から互いに反対方向に延びている。また、渡り部６３は、第２巻線用セグメント５２の一方の電気導体６１から延びる渡り部６３と同様の形状をなしている。
【００４８】
前記接続用セグメント５６は、第１巻線用セグメント５１と同様に、長手方向と直交する断面の形状が四角形状をなし外周面が絶縁被膜にて被覆された１本の導線を折り返すように屈曲して形成されている。尚、図３では、接続用セグメント５６を一点鎖線にて図示している。この接続用セグメント５６は、一対の電気導体６１と、これらの電気導体６１を同電気導体６１の長手方向の一端部で連結する連結部６８と電気導体６１の長手方向の他端部から延びる渡り部６３とを有する。
【００４９】
接続用セグメント５６において、一対の電気導体６１は、前記第１巻線用セグメント５１の一対の電気導体６１と同様の形状をなしている。そして、接続用セグメント５６の一対の電気導体６１は、第１巻線用セグメント５１の一対の電気導体６１と同様に、６スロットピッチ離間した２つのスロット１５に挿入されるべく、６スロット分だけ離間した状態で平行に延びている。
【００５０】
また、接続用セグメント５６において、前記連結部６８は、一方の電気導体６１の長手方向の一端部（図３において左側の電気導体６１の上端部）と他方の電気導体６１の長手方向の一端部（図３において右側の電気導体６１の上端部）との間に渡って設けられている。
【００５１】
また、接続用セグメント５６において、一方の電気導体６１の長手方向の他端部（図３において左側の電気導体６１の下端部）から延びる前記渡り部６３は、その基端部において一方の電気導体６１に対して屈曲されることにより、前記連結部６８と反対方向に延びている。そして、この渡り部６３は、前記第１巻線用セグメント５１の一方の電気導体６１から延びる渡り部６３と同様の形状をなしている。更に、接続用セグメント５６において、他方の電気導体６１の長手方向の他端部（図３において右側の電気導体６１の下端部）から延びる前記渡り部６３は、その基端部において他方の電気導体６１に対して屈曲されることにより、連結部６８と略同方向に延びている。この渡り部６３は、前記第２巻線用セグメント５２の一方の電気導体６１から延びる渡り部６３と同様の形状をなしている。
【００５２】
図２（ａ）、図３、図４及び図６に示すように、第１Ｕ相巻線Ｍｕ１は、周方向にｍｎスロットピッチ毎（本実施形態では６スロットピッチ毎）の合計１０個のスロット１５に巻装されている。そして、第１Ｕ相巻線Ｍｕ１は、９本の第１巻線用セグメント５１と、９本の第２巻線用セグメント５２と、１０本の第３巻線用セグメント５３と、１本の給電用セグメント５４と、１本の中性点用セグメント５５と、１本の接続用セグメント５６とから構成されている。第１巻線用セグメント５１、第２巻線用セグメント５２、第３巻線用セグメント５３、給電用セグメント５４、中性点用セグメント５５及び接続用セグメント５６は、電機子コア１２の軸方向の一端側からスロット１５に挿入されている。そして、各スロット１５には６本の電気導体６１が収容されている。図２（ｂ）に示すように、各スロット１５内の６本の電気導体６１は、電機子コア１２の径方向に１列に並んでいる。各スロット１５内において、電気導体６１とスロット１５の内周面との間には、電気導体６１と電機子コア１２とを絶縁するための絶縁部材７１が介在されている。尚、図３及び図４においては、各スロット１５内で径方向に並ぶ６本の電気導体６１を、最も径方向内側に配置されるものから順に左から右へ図示している。また、電気導体６１の長手方向の中央部に図示した数字はスロット番号である。
【００５３】
図２（ａ）、図３、図４及び図６に示すように、第１Ｕ相巻線Ｍｕ１を構成する９本の第１巻線用セグメント５１は、６スロットピッチ離間した２つのスロット１５（即ち、間に５つのスロット１５を挟んだ２つのスロット１５）にそれぞれが有する一対の電気導体６１が挿入されている。詳述すると、第１Ｕ相巻線Ｍｕ１を構成する９本の第１巻線用セグメント５１のうち１本の第１巻線用セグメント５１は、一方の電気導体６１がスロット番号「７」のスロット１５に挿入され、一方の電気導体６１が挿入されたスロット番号「７」のスロット１５から周方向に６スロット離間したスロット番号「１３」のスロット１５に他方の電気導体６１が挿入されている。同様に、残りの８本の第１巻線用セグメント５１は、一方の電気導体６１がスロット番号「１３」，「１９」，「２５」，「３１」，「３７」，「４３」，「４９」，「５５」のスロット１５に挿入され、一方の電気導体６１が挿入されたスロット１５から周方向に６スロット離間したスロット番号「１９」，「２５」，「３１」，「３７」，「４３」，「４９」，「５５」，「１」のスロット１５に他方の電気導体６１が挿入されている。尚、これら９本の第１巻線用セグメント５１を電機子コア１２の軸方向の一端側からスロット１５に挿入するときには、各第１巻線用セグメント５１の渡り部６３は、電気導体６１に対して屈曲されておらず、電気導体６１と同じ一直線上となるように延びている。従って、第１巻線用セグメント５１は、スロット１５に挿入するときには、略Ｕ字状をなしている。
【００５４】
また、これら９本の第１巻線用セグメント５１の一方の電気導体６１（図３及び図４において左側に位置する電気導体６１）は、挿入されたスロット１５内において径方向内側から１番目に位置する。更に、これら９本の第１巻線用セグメント５１の他方の電気導体６１（図３及び図４において右側に位置する電気導体６１）は、挿入されたスロット１５内において径方向内側から６番目に位置する。
【００５５】
第１Ｕ相巻線Ｍｕ１を構成する９本の第２巻線用セグメント５２は、６スロットピッチ離間した２つのスロット１５（即ち、間に５つのスロット１５を挟んだ２つのスロット１５）にそれぞれが有する一対の電気導体６１が挿入されている。詳述すると、第１Ｕ相巻線Ｍｕ１を構成する９本の第２巻線用セグメント５２のうち１本の第２巻線用セグメント５２は、一方の電気導体６１がスロット番号「７」のスロット１５に挿入され、一方の電気導体６１が挿入されたスロット番号「７」のスロット１５から周方向に６スロット離間したスロット番号「１３」のスロット１５に他方の電気導体６１が挿入されている。同様に、残りの８本の第２巻線用セグメント５２は、一方の電気導体６１がスロット番号「１３」，「１９」，「２５」，「３１」，「３７」，「４３」，「４９」，「５５」のスロット１５に挿入され、一方の電気導体６１が挿入されたスロット１５から周方向に６スロット離間したスロット番号「１９」，「２５」，「３１」，「３７」，「４３」，「４９」，「５５」，「１」のスロット１５に他方の電気導体６１が挿入されている。尚、これら９本の第２巻線用セグメント５２を電機子コア１２の軸方向の一端側からスロット１５に挿入するときには、各第２巻線用セグメント５２の渡り部６３は、電気導体６１に対して屈曲されておらず、電気導体６１と同じ一直線上となるように延びている。従って、第２巻線用セグメント５２は、スロット１５に挿入するときには、略Ｕ字状をなしている。
【００５６】
また、これら９本の第２巻線用セグメント５２の一方の電気導体６１（図３及び図４において左側に位置する電気導体６１）は、挿入されたスロット１５内において径方向内側から３番目に位置する。更に、これら９本の第２巻線用セグメント５２の他方の電気導体６１（図３及び図４において右側に位置する電気導体６１）は、挿入されたスロット１５内において径方向内側から５番目に位置する。
【００５７】
第１Ｕ相巻線Ｍｕ１を構成する１０本の第３巻線用セグメント５３は、６スロットピッチ離間した２つのスロット１５（即ち、間に５つのスロット１５を挟んだ２つのスロット１５）にそれぞれが有する一対の電気導体６１が挿入されている。詳述すると、第１Ｕ相巻線Ｍｕ１を構成する１０本の第３巻線用セグメント５３のうち１本の第３巻線用セグメント５３は、一方の電気導体６１がスロット番号「７」のスロット１５に挿入され、一方の電気導体６１が挿入されたスロット番号「７」のスロット１５から周方向に６スロット離間したスロット番号「１３」のスロット１５に他方の電気導体６１が挿入されている。同様に、残りの９本の第３巻線用セグメント５３は、一方の電気導体６１がスロット番号「１３」，「１９」，「２５」，「３１」，「３７」，「４３」，「４９」，「５５」，「１」のスロット１５に挿入され、一方の電気導体６１が挿入されたスロット１５から周方向に６スロット離間したスロット番号「１９」，「２５」，「３１」，「３７」，「４３」，「４９」，「５５」，「１」，「７」のスロット１５に他方の電気導体６１が挿入されている。尚、これら１０本の第３巻線用セグメント５３を電機子コア１２の軸方向の一端側からスロット１５に挿入するときには、各第３巻線用セグメント５３の渡り部６３は、電気導体６１に対して屈曲されておらず、電気導体６１と同じ一直線上となるように延びている。従って、第３巻線用セグメント５３は、スロット１５に挿入するときには、略Ｕ字状をなしている。
【００５８】
また、これら１０本の第３巻線用セグメント５３の一方の電気導体６１（図３及び図４において左側に位置する電気導体６１）は、挿入されたスロット１５内において径方向内側から４番目に位置する。更に、これら１０本の第３巻線用セグメント５３の他方の電気導体６１（図３及び図４において右側に位置する電気導体６１）は、挿入されたスロット１５内において径方向内側から２番目に位置する。
【００５９】
第１Ｕ相巻線Ｍｕ１を構成する１本の給電用セグメント５４は、スロット番号「７」のスロット１５に挿入されている。給電用セグメント５４を電機子コア１２の軸方向の一端側からスロット１５に挿入するときには、該給電用セグメント５４の渡り部６３は、電気導体６１に対して屈曲されておらず、電気導体６１と同じ一直線上となるように延びている。そして、この給電用セグメント５４の電気導体６１は、挿入されたスロット１５内において径方向内側から６番目に位置する。
【００６０】
第１Ｕ相巻線Ｍｕ１を構成する１本の中性点用セグメント５５は、スロット番号「１」のスロット１５に挿入されている。中性点用セグメント５５を電機子コア１２の軸方向の一端側からスロット１５に挿入するときには、該中性点用セグメント５５の渡り部６３は、電気導体６１に対して屈曲されておらず、電気導体６１と同じ一直線上となるように延びている。そして、この中性点用セグメント５５の電気導体６１は、挿入されたスロット１５内において径方向内側から３番目に位置する。
【００６１】
第１Ｕ相巻線Ｍｕ１を構成する１本の接続用セグメント５６は、６スロットピッチ離間した２つのスロット１５（即ち、間に５つのスロット１５を挟んだ２つのスロット１５）にそれぞれが有する一対の電気導体６１が挿入されている。詳述すると、この接続用セグメント５６の一方の電気導体６１（図３において左側の電気導体６１）は、中性点用セグメント５５が挿入されたスロット１５、即ちスロット番号「１」のスロット１５に挿入されている。更に、この接続用セグメント５６の他方の電気導体６１（図３において右側の電気導体６１）は、給電用セグメント５４が挿入されたスロット１５、即ちスロット番号「７」のスロット１５に挿入されている。そして、この接続用セグメント５６の一方の電気導体６１（図３において左側に位置する電気導体６１）は、挿入されたスロット１５内において径方向内側から１番目に位置し、他方の電気導体６１（図３において右側に位置する電気導体６１）は、挿入されたスロット１５内において径方向内側から５番目に位置する。尚、この接続用セグメント５６を電機子コア１２の軸方向の一端側からスロット１５に挿入するときには、該接続用セグメント５６の渡り部６３は、電気導体６１に対して屈曲されておらず、電気導体６１と同じ一直線上となるように延びている。従って、接続用セグメント５６は、スロット１５に挿入するときには、略Ｕ字状をなしている。
【００６２】
第１Ｕ相巻線Ｍｕ１において、同じスロット１５に一方の電気導体６１（周方向の一方側（図３及び図４において左側）の電気導体６１）が挿入された第１〜第３巻線用セグメント５１〜５３は、他方の電気導体６１（周方向の他方側（図３及び図４において右側）の電気導体６１）が一方の電気導体６１が挿入されたスロット１５から６スロットピッチ離間したスロット１５に挿入されている。また、第１Ｕ相巻線Ｍｕ１において、第１巻線用セグメント５１の連結部６２、第２巻線用セグメント５２の連結部６４及び第３巻線用セグメント５３の連結部６５は、電機子コア１２の軸方向の一端側に配置されている。そして、図６に示すように、電機子コア１２の一端側では、第１円弧部６２ｃ、第２円弧部６４ｃ及び第３円弧部６５ｃは、電機子コア１２の軸方向から見て径方向に沿っている。また、電機子コア１２の一端側では、同じスロット１５に挿入された第１〜第３巻線用セグメント５１〜５３の連結側渡り部６２ａ，６２ｂ，６４ａ，６４ｂ，６５ａ，６５ｂは、電機子コア１２の周方向に沿って延びている。更に、図６、図７（ａ）及び図７（ｂ）に示すように、それぞれが有する一対の電気導体６１が周方向に６スロットピッチ離間した同じ２つのスロット１５に挿入された第１巻線用セグメント５１と第３巻線用セグメント５３とにおいては、第１円弧部６２ｃの内側に第３円弧部６５ｃが配置され、第１円弧部６２ｃと第３円弧部６５ｃとが軸方向に重なっている。また、電機子コア１２の一端側では、それぞれが有する一対の電気導体６１が周方向に６スロットピッチ離間した同じ２つのスロット１５に挿入された第１〜第３巻線用セグメント５１〜５３のうち第１巻線用セグメント５１と第３巻線用セグメント５３との２本のセグメント導体は、第２円弧部６４ｃと第３円弧部６５ｃとが周方向に重なっている。更に、電機子コア１２の一端側では、それぞれが有する一対の電気導体６１が周方向に６スロットピッチ離間した同じ２つのスロット１５に挿入された第１〜第３巻線用セグメント５１〜５３のうち第１巻線用セグメント５１と第３巻線用セグメント５３との２本のセグメント導体は、第２円弧部６４ｃの頂点Ｐ２における電機子コア１２の軸方向の一端面からの高さと第３円弧部６５ｃの頂点Ｐ３における電機子コア１２の軸方向の一端面からの高さとが等しくなっている。尚、第２円弧部６４ｃの頂点Ｐ２は第２巻線用セグメント５２の連結部６４の頂点であり、第３円弧部６５ｃの頂点Ｐ３は第３巻線用セグメント５３の連結部６５の頂点である。そして、連結部６４の頂点Ｐ２は、連結部６４において電機子コア１２の軸方向の一端面から軸方向に最も離間した部分であり、連結部６５の頂点Ｐ３は、連結部６５において電機子コア１２の軸方向の一端面から軸方向に最も離間した部分である。また、電機子コア１２の軸方向から見ると、第１円弧部６２ｃと第２円弧部６４ｃとは周方向に隣接している。
【００６３】
また、図３及び図４に示すように、第１巻線用セグメント５１、第２巻線用セグメント５２、第３巻線用セグメント５３、給電用セグメント５４、中性点用セグメント５５及び接続用セグメント５６は、スロット１５を軸方向に貫通して電機子コア１２の軸方向の他端側に突出している。第１巻線用セグメント５１、第２巻線用セグメント５２、第３巻線用セグメント５３、給電用セグメント５４、中性点用セグメント５５及び接続用セグメント５６においては、渡り部６３が電機子コア１２の軸方向の他端側に突出している。そして、電機子コア１２の軸方向の他端側では、各スロット１５から電機子コア１２の軸方向の他端側に突出した渡り部６３がその基端部において周方向に屈曲されるとともに、渡り部６３の先端部が屈曲されて軸方向に延びる接続部６３ａが形成されている。更に、電機子コア１２の軸方向の他端側では、各スロット１５内の径方向内側から６番目の電気導体６１と、周方向の一方側（図３及び図４において右側）に６スロットピッチ（即ちｍｎスロットピッチ）離間したスロット１５内の径方向内側から５番目の電気導体６１とが接続されている。また、電機子コア１２の他端側では、各スロット１５内の径方向内側から４番目の電気導体６１と、周方向の一方側に６スロットピッチ離間したスロット１５内の径方向内側から３番目の電気導体６１とが接続されている。更に、電機子コア１２の軸方向の他端側では、各スロット１５内の径方向内側から２番目の電気導体６１と、周方向の一方側に６スロットピッチ離間したスロット１５内の径方向内側から１番目の電気導体６１とが接続されている。互いに接続された２本ずつの電気導体６１は、電機子コア１２の軸方向の他端側で当該電気導体６１から延びる渡り部６３の先端部に設けられた接続部６３ａ同士が隣り合わされて同接続部６３ａ同士が溶接により接続されることにより電気的及び機械的に接続されている。このように、電機子コア１２の他端側で所定の電気導体６１同士が接続されることにより、第１巻線用セグメント５１、第２巻線用セグメント５２、第３巻線用セグメント５３、給電用セグメント５４、中性点用セグメント５５及び接続用セグメント５６が連結されている。
【００６４】
第１Ｕ相巻線Ｍｕ１は、上記のように構成されることにより、電機子コア１２に分布巻にて巻装されるとともに、電機子コア１２を周方向に２周している。尚、図３及び図４においては、第１Ｕ相巻線Ｍｕ１における１周目の巻線を実線にて図示し、２周目の巻線を破線にて図示している。そして、第１Ｕ相巻線Ｍｕ１において、給電用セグメント５４から始まる１周目の巻線と、２周目の巻線とは、接続用セグメント５６によって連結されている。また、第１Ｕ相巻線Ｍｕ１における電機子コア１周分の巻線は、周方向に６スロットピッチ毎のスロット１５に（２ｓ＋１）本ずつ収容された電気導体６１が連結されて構成されている。ｓは自然数であり、本実施形態では「１」である。従って、第１Ｕ相巻線Ｍｕ１における電機子コア１周分の巻線は、スロット１５あたりの電気導体６１の本数が３本となっている。
【００６５】
図８に示すように、第１Ｕ相巻線Ｍｕ１において、給電用セグメント５４から始まる１周目の巻線は、まず、スロット番号「７」のスロット１５と、スロット番号「７」のスロット１５から周方向の両側にｍｎスロット（本実施形態では６スロット）ずつ離間したスロット番号「１」のスロット１５及びスロット番号「１３」のスロット１５との合計３つのスロット１５に巻装されている。即ち、給電用セグメント５４から始まる１周目の巻線は、まず、周方向にｍｎスロットずつ離間した３つのスロット１５に巻装されている。そして、第１Ｕ相巻線Ｍｕ１における１周目の巻線においては、まず、当該３つのスロット１５のうち中央のスロット番号「７」のスロット１５内の１本の電気導体６１であって本実施形態ではスロット１５内で径方向内側から６番目の電気導体６１と、スロット番号「７」のスロット１５に対して周方向の一方側（図８において右側）に位置するスロット番号「１３」のスロット１５内の１本の電気導体６１であって本実施形態ではスロット１５内で径方向内側から５番目の電気導体６１とが、電機子コア１２の軸方向の他端側（図８において下端側）で各々から延びる渡り部６３によって連結されている。そして、スロット番号「１３」のスロット１５内の径方向内側から５番目の電気導体６１は、中央のスロット番号「７」のスロット１５内の１本の電気導体６１であって本実施形態ではスロット１５内で径方向内側から３番目の電気導体６１と、電機子コア１２の軸方向の一端側（図８において上端側）で連結部６４によって連結されている。更に、中央のスロット番号「７」のスロット１５内の径方向内側から３番目の電気導体６１は、中央のスロット１５に対して周方向の他方側（図８において左側）に位置するスロット番号「１」のスロット１５内の１本の電気導体６１であって本実施形態ではスロット１５内で径方向内側から４番目の電気導体６１と、電機子コア１２の軸方向の他端側で各々から延びる渡り部６３によって連結されている。そして、スロット番号「１」のスロット１５内の径方向内側から４番目の電気導体６１は、中央のスロット番号「７」のスロット１５内の１本の電気導体６１であって本実施形態ではスロット１５内で径方向内側から２番目の電気導体６１と、電機子コア１２の軸方向の一端側で連結部６５によって連結されている。更に、スロット番号「７」のスロット１５内の径方向内側から２番目の電気導体６１は、スロット番号「１３」のスロット１５内の１本の電気導体６１であって本実施形態ではスロット１５内で径方向内側から１番目の電気導体６１と、電機子コア１２の軸方向の他端側で各々から延びる渡り部６３によって連結されている。
【００６６】
このように、第１Ｕ相巻線Ｍｕ１において給電用セグメント５４から始まる１周目の巻線は、給電用セグメント５４から辿ると、まず、６スロットずつ離間した３つのスロット１５、即ちスロット番号「１」，「７」，「１３」の３つのスロット１５に、径方向から見て数字の「８」を描くように形成されている。そのため、スロット番号「７」のスロット１５とスロット番号「１３」のスロット１５との間の６本のティース１４の回りを一回りする分布巻の巻線と、スロット番号「１」のスロット１５とスロット番号「７」のスロット１５との間の６本のティース１４の回りを一回りする分布巻の巻線とが連続して形成されている。この２つの分布巻の巻線は、径方向から見て巻方向が逆となっている。尚、ｍｎスロットずつ離間した３つのスロット１５に上記のように巻装された巻線を、小巻線Ｍｓ１とする。この小巻線Ｍｓ１を構成する電気導体６１は、中央のスロット番号「７」のスロット１５には（２ｓ＋１）本、中央のスロット番号「７」のスロット１５に対して周方向の一方側に位置するスロット番号「１３」のスロット１５には（ｓ＋１）本、中央のスロット番号「７」のスロット１５に対して周方向の他方側に位置するスロット番号「１」のスロット１５にはｓ本収容されている。尚、前述したように本実施形態ではｓは「１」である。
【００６７】
また、第１Ｕ相巻線Ｍｕ１における１周目の巻線においては、小巻線Ｍｓ１の周方向の中央とされたスロット番号「７」のスロット１５から周方向の一方側（図８において右側）に２ｍｎスロット（本実施形態では１２スロット）離間したスロット番号「１９」のスロット１５を中央のスロット１５として６スロットずつ離間した３つのスロット１５に同様の小巻線Ｍｓ１が形成されている。そして、スロット番号「１３」，「１９」，「２５」の３つのスロット１５に巻装された当該小巻線Ｍｓ１は、中央のスロット番号「１９」のスロット１５内の１本の電気導体６１であってスロット１５内で径方向内側から６番目の電気導体６１と、スロット番号「１３」のスロット１５内の１本の電気導体６１であって径方向内側から１番目の電気導体６１とが電機子コア１２の一端側で連結部６２によって連結されることにより、スロット番号「７」のスロット１５を中央のスロット１５として形成された小巻線Ｍｓ１と連結されている。因みに、スロット番号「１３」のスロット１５内の径方向内側から１番目の電気導体６１は、スロット番号「７」のスロット１５を中央のスロット１５として形成された小巻線Ｍｓ１を構成するものである。
【００６８】
同様に、小巻線Ｍｓ１の周方向の中央のスロット１５であるスロット番号「１９」のスロット１５から２ｍｎスロットピッチ毎のスロット番号「３１」，「４３」，「５５」のスロット１５を中央のスロット１５として小巻線Ｍｓ１が形成されている。更に、各小巻線Ｍｓ１は、各小巻線Ｍｓ１の周方向の中央となるスロット１５に対して周方向の他方側（図８において左側）に２ｍｎスロット離間したスロット１５を中央のスロット１５として形成された小巻線Ｍｓ１と連結されている。この小巻線Ｍｓ１同士の連結は、連結される２つの小巻線Ｍｓ１において、周方向の一方側の小巻線Ｍｓ１の周方向の中央となるスロット１５内の径方向内側から６番目の電気導体６１と、周方向の他方側の小巻線Ｍｓ１の周方向の中央となるスロット１５に対して周方向の一方側（周方向の一方側の小巻線Ｍｓ１側）にｍｎスロット離間したスロット１５内の径方向内側から１番目の電気導体６１とを電機子コア１２の軸方向の一端側で連結することによりなされている。
【００６９】
このように、第１Ｕ相巻線Ｍｕ１における１周目の巻線は、２ｍｎスロットピッチ毎に形成された小巻線Ｍｓ１が連結されて電機子コア１２を１周している。尚、第１Ｕ相巻線Ｍｕ１における１周目の巻線を構成する最後の電気導体６１、即ちスロット番号「１」のスロット１５内の径方向内側から１番目の電気導体６１は、接続用セグメント５６の一方の電気導体６１である。
【００７０】
図３及び図４に示すように、第１Ｕ相巻線Ｍｕ１における２周目の巻線は、接続用セグメント５６によって第１Ｕ相巻線Ｍｕ１における１周目の巻線と接続されている。第１Ｕ相巻線Ｍｕ１の２周目の巻線においては、まず、１周目の最後の電気導体６１であるスロット番号「１」のスロット１５内の径方向内側から１番目の電気導体６１と２周目の最初の電気導体６１であるスロット番号「７」のスロット１５内の径方向内側から５番目の電気導体６１とが、電機子コア１２の軸方向の一端側（図３において上端側）で連結部６８によって連結されている。また、スロット番号「７」のスロット１５内の径方向内側から５番目の電気導体６１は、スロット番号「７」のスロット１５から周方向の他方側（図３において左側）にｍｎスロット（本実施形態では６スロット）離間したスロット番号「１」のスロット１５内の１本の電気導体６１であってスロット１５内で径方向内側から６番目の電気導体６１と、電機子コア１２の軸方向の他端側（図３において下端側）で各々から延びる渡り部６３によって連結されている。また、スロット番号「１」のスロット１５内の６番目の電気導体６１は、スロット番号「１」のスロット１５から周方向の他方側に６スロット離間したスロット番号「５５」のスロット１５内の１本の電気導体６１であってスロット１５内で径方向内側から１番目の電気導体６１と、電機子コア１２の軸方向の一端側で連結部６２にて連結されている。
【００７１】
そして、第１Ｕ相巻線Ｍｕ１における２周目の巻線は、スロット番号「５５」のスロット１５と、スロット番号「５５」のスロット１５から周方向の他方側にｍｎスロット（本実施形態では６スロット）離間したスロット番号「４９」のスロット１５と、スロット番号「５５」のスロット１５から周方向の他方側に２ｍｎスロット（本実施形態では１２スロット）離間したスロット番号「４３」のスロット１５との合計３つのスロット１５に巻装されている。即ち、第１Ｕ相巻線Ｍｕ１における２周目の巻線は、接続用セグメント５６にて１周目の巻線と接続された後、周方向にｍｎスロットずつ離間した３つのスロット１５に巻装されている。第１Ｕ相巻線Ｍｕ１における２周目の巻線においては、当該３つのスロット１５のうち中央のスロット番号「４９」スロット１５に対して周方向の一方側（図４において右側）に位置するスロット番号「５５」のスロット１５内の径方向内側から１番目の電気導体６１と、中央のスロット番号「４９」のスロット１５内の１本の電気導体６１であって本実施形態ではスロット１５内で径方向内側から２番目の電気導体６１とが、電機子コア１２の軸方向の他端側で各々から延びる渡り部６３によって連結されている。そして、中央のスロット番号「４９」のスロット１５内の径方向内側から２番目の電気導体６１は、中央のスロット１５に対して周方向の他方側に位置するスロット番号「４３」のスロット１５内の１本の電気導体６１であって本実施形態ではスロット１５内で径方向内側から４番目の電気導体６１と、電機子コア１２の軸方向の一端側で連結部６５によって連結されている。更に、スロット番号「４３」のスロット１５内の径方向内側から４番目の電気導体６１は、中央のスロット番号「４９」のスロット１５内の１本の電気導体６１であって本実施形態ではスロット１５内で径方向内側から３番目の電気導体６１と、電機子コア１２の軸方向の他端側で各々から延びる渡り部６３によって連結されている。そして、スロット番号「４９」のスロット１５内の径方向内側から３番目の電気導体６１は、スロット番号「４９」のスロット１５に対して周方向の一方側に位置するスロット番号「５５」のスロット１５内の１本の電気導体６１であって本実施形態ではスロット１５内で径方向内側から５番目の電気導体６１と、電機子コア１２の軸方向の一端側で連結部６４によって連結されている。更に、スロット番号「５５」のスロット１５内の径方向内側から５番目の電気導体６１は、中央のスロット番号「４９」のスロット１５内の１本の電気導体６１であって本実施形態ではスロット１５内で径方向内側から６番目の電気導体６１と、電機子コア１２の軸方向の他端側で各々から延びる渡り部６３によって連結されている。
【００７２】
このように、第１Ｕ相巻線Ｍｕ１における２周目の巻線は、６スロットずつ離間した３つのスロット１５、即ちスロット番号「５５」，「４９」，「４３」の３つのスロット１５に、径方向から見て数字の「８」を描くように形成されている。そのため、スロット番号「４３」のスロット１５とスロット番号「４９」のスロット１５との間の６本のティース１４の回りを一回りする分布巻の巻線と、スロット番号「４９」のスロット１５とスロット番号「５５」のスロット１５との間の６本のティース１４の回りを一回りする分布巻の巻線とが連続して形成されている。この２つの分布巻の巻線は、径方向から見て巻方向が逆となっている。このように、第１Ｕ相巻線Ｍｕ１における２周目の巻線においても、ｍｎスロットずつ離間した３つのスロット１５に上記のように小巻線Ｍｓ１が形成されている。そして、この小巻線Ｍｓ１を構成する電気導体６１は、中央のスロット番号「４９」のスロット１５には（２ｓ＋１）本、中央のスロット番号「４９」のスロット１５に対して周方向の一方側に位置するスロット番号「５５」のスロット１５には（ｓ＋１）本、中央のスロット番号「４９」のスロット１５に対して周方向の他方側に位置するスロット番号「４３」のスロット１５にはｓ本収容されている。尚、前述したように本実施形態ではｓは「１」である。
【００７３】
また、第１Ｕ相巻線Ｍｕ１における２周目の巻線においては、小巻線Ｍｓ１の周方向の中央とされたスロット番号「４９」のスロット１５から周方向の他方側に２ｍｎスロット（本実施形態では１２スロット）離間したスロット番号「３７」のスロット１５を中央のスロット１５として６スロットずつ離間した３つのスロット１５に同様の小巻線Ｍｓ１が形成されている。そして、スロット番号「４３」，「３７」，「３１」の３つのスロット１５に巻装された当該小巻線Ｍｓ１は、中央のスロット番号「３７」のスロット１５に対して周方向の一方側に位置するスロット番号「４３」のスロット１５内の１本の電気導体６１であってスロット１５内で径方向内側から１番目の電気導体６１と、スロット番号「４９」のスロット１５内の１本の電気導体６１であって径方向内側から６番目の電気導体６１とが電機子コア１２の一端側で連結部６２によって連結されることにより、スロット番号「４９」のスロット１５を中央のスロット１５として形成された小巻線Ｍｓ１と連結されている。因みに、スロット番号「４９」のスロット１５内の径方向内側から６番目の電気導体６１は、スロット番号「４９」のスロット１５を中央のスロット１５として形成された小巻線Ｍｓ１を構成するものである。
【００７４】
同様に、小巻線Ｍｓ１の周方向の中央のスロット１５であるスロット番号「３７」のスロット１５から２ｍｎスロットピッチ毎のスロット番号「２５」，「１３」のスロット１５を中央のスロット１５として小巻線Ｍｓ１が形成されている。更に、各小巻線Ｍｓ１は、各小巻線Ｍｓ１の周方向の中央となるスロット１５に対して周方向の一方側（図３及び図４において右側）に２ｍｎスロット離間したスロット１５を中央のスロット１５として形成された小巻線Ｍｓ１と連結されている。この小巻線Ｍｓ１同士の連結は、連結される２つの小巻線Ｍｓ１において、周方向の一方側の小巻線Ｍｓ１の周方向の中央となるスロット１５内の径方向内側から６番目の電気導体６１と、周方向の他方側の小巻線Ｍｓ１の周方向の中央となるスロット１５に対して周方向の一方側（周方向の一方側の小巻線Ｍｓ１側）にｍｎスロット離間したスロット１５内の径方向内側から１番目の電気導体６１とを電機子コア１２の軸方向の一端側で連結することによりなされている。
【００７５】
また、第１Ｕ相巻線Ｍｕ１における２周目の巻線においては、スロット番号「１３」のスロット１５を中央のスロット１５として形成された小巻線Ｍｓ１において、スロット番号「１３」のスロット１５内の１本の電気導体６１であって本実施形態ではスロット１５内で径方向内側から６番目の電気導体６１は、スロット番号「７」のスロット１５内の径方向内側から１番目の電気導体６１と、電機子コア１２の軸方向の一端側で連結部６２によって連結されている。更に、スロット番号「７」のスロット１５内の径方向内側から１番目の電気導体６１は、スロット番号「１」のスロット１５内の径方向内側から２番目の電気導体６１と、電機子コア１２の軸方向の他端側で各々から延びる渡り部６３によって連結されている。また、スロット番号「１」のスロット１５内の径方向内側から２番目の電気導体６１は、スロット番号「５５」のスロット１５内の径方向内側から４番目の電気導体６１と、電機子コア１２の軸方向の一端側で連結部６５によって連結されている。そして、スロット番号「５５」のスロット１５内の径方向内側から４番目の電気導体６１は、スロット番号「１」のスロット１５内の径方向内側から３番目の電気導体６１と、電機子コア１２の軸方向の他端側で各々から延びる渡り部６３によって連結されている。スロット番号「１」のスロット１５内の径方向内側から３番目の電気導体６１は、中性点用セグメント５５を構成しており、第１Ｕ相巻線Ｍｕ１の２周目の最後の電気導体６１である。そして、第１Ｕ相巻線Ｍｕ１の２周目の巻線におけるスロット番号「７」のスロット１５内の径方向内側から１番目の電気導体６１からスロット番号「１」のスロット１５内の径方向内側から３番目の電気導体６１までの部分と、接続用セグメント５６の連結部６８と、スロット番号「７」のスロット１５内の径方向内側から５番目の電気導体６１からスロット番号「１」のスロット１５内の径方向内側から６番目の電気導体６１までの部分とによって、スロット番号「１」のスロットを中央のスロット１５とするスロット番号「７」，「１」，「５５」の３つのスロット１５に小巻線Ｍｓ１と同様の巻線がされている。
【００７６】
このように、第１Ｕ相巻線Ｍｕ１における２周目の巻線は、２ｍｎスロットピッチ毎に形成された小巻線Ｍｓ１が連結されて、電機子コア１２を１周している。
図２（ａ）、図３及び図４に示すように、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２は、第１Ｕ相巻線Ｍｕ１と同様に、周方向にｍｎスロットピッチ毎（本実施形態では６スロットピッチ毎）の１０個ずつのスロット１５にそれぞれ巻装されている。また、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２は、第１Ｕ相巻線Ｍｕ１と同様に連結された９本の第１巻線用セグメント５１、９本の第２巻線用セグメント５２、１０本の第３巻線用セグメント５３、１本の給電用セグメント５４、１本の中性点用セグメント５５及び１本の接続用セグメント５６から構成されている。そして、各スロット１５には６本の電気導体６１が収容されるとともに、各スロット１５内の６本の電気導体６１は、電機子コア１２の径方向に１列に並んでいる。
【００７７】
そして、図２（ａ）に示すように、第１Ｖ相巻線Ｍｖ１は、第１Ｕ相巻線Ｍｕ１に対して所定スロットピッチ（例えば、時計方向に２スロットピッチ）ずれた状態で第１Ｕ相巻線Ｍｕ１と同様に電機子コア１２に巻装されている。また、第１Ｗ相巻線Ｍｗ１は、第１Ｕ相巻線Ｍｕ１に対して所定スロットピッチ（例えば、時計方向に４スロットピッチ）ずれた状態で第１Ｕ相巻線Ｍｕ１と同様に電機子コア１２に巻装されている。更に、第２Ｕ相巻線Ｍｕ２は、第１Ｕ相巻線Ｍｕ１に対して所定スロットピッチ（例えば、時計方向に１スロットピッチ）ずれた状態で第１Ｕ相巻線Ｍｕ１と同様に電機子コア１２に巻装されている。また、第２Ｖ相巻線Ｍｖ２は、第１Ｕ相巻線Ｍｕ１に対して所定スロットピッチ（例えば、時計方向に３スロットピッチ）ずれた状態で第１Ｕ相巻線Ｍｕ１と同様に電機子コア１２に巻装されている。更に、第２Ｗ相巻線Ｍｗ２は、第１Ｕ相巻線Ｍｕ１に対して所定スロットピッチ（例えば、時計方向に５スロットピッチ）ずれた状態で第１Ｕ相巻線Ｍｕ１と同様に電機子コア１２に巻装されている。
【００７８】
図９（ａ）に示すように、第１Ｕ相巻線Ｍｕ１を構成する給電用セグメント５４の給電用引出し部６６、第１Ｖ相巻線Ｍｖ１を構成する給電用セグメント５４の給電用引出し部６６、及び第１Ｗ相巻線Ｍｗ１を構成する給電用セグメント５４の給電用引出し部６６は、給電のために引出されて、前記駆動装置４１の対応するスイッチングトランジスタ４４にそれぞれ接続されている。更に、第１Ｕ相巻線Ｍｕ１を構成する中性点用セグメント５５の中性点用引出し部６７、第１Ｖ相巻線Ｍｖ１を構成する中性点用セグメント５５の中性点用引出し部６７及び第１Ｗ相巻線Ｍｗ１を構成する中性点用セグメント５５の中性点用引出し部６７は、互いに接続されて第１系統３相巻線の第１中性点Ｎ１を形成している。これにより、図９（ａ）に示すような電気回路からなる３相Ｙ結線の第１系統３相巻線が形成されている。
【００７９】
また、図９（ｂ）に示すように、第２Ｕ相巻線Ｍｕ２を構成する給電用セグメント５４の給電用引出し部６６、第２Ｖ相巻線Ｍｖ２を構成する給電用セグメント５４の給電用引出し部６６、及び第２Ｗ相巻線Ｍｗ２を構成する給電用セグメント５４の給電用引出し部６６は、給電のために引出されて、前記駆動装置４１の対応するスイッチングトランジスタ４４にそれぞれ接続されている。更に、第２Ｕ相巻線Ｍｕ２を構成する中性点用セグメント５５の中性点用引出し部６７、第２Ｖ相巻線Ｍｖ２を構成する中性点用セグメント５５の中性点用引出し部６７及び第２Ｗ相巻線Ｍｗ２を構成する中性点用セグメント５５の中性点用引出し部６７は、互いに接続されて第２系統３相巻線の第２中性点Ｎ２を形成している。これにより、図９（ｂ）に示すような電気回路からなる３相Ｙ結線の第２系統３相巻線が形成されている。
【００８０】
次に、本実施形態のブラシレスモータ１に備えられたステータ１１の作用を説明する。
第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２は、それぞれ、周方向に６スロットピッチ毎のスロット１５に３本ずつ収容された電気導体６１が連結されて構成されている。従って、電機子コア１周分の巻線におけるスロット１５あたりの電気導体６１が奇数本となるように各相の巻線を形成できる。
【００８１】
また、各相の巻線（即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２）は、周方向に６スロットピッチ毎の３個のスロット１５に巻装された小巻線Ｍｓ１を周方向に複数有する。そして、各小巻線Ｍｓ１は、周方向に６スロットピッチ毎の３個のスロット１５のうち中央のスロット１５に収容された３本の電気導体６１と、中央のスロット１５に対して周方向の一方側に位置するスロットに収容された２本の電気導体と、中央のスロット１５に対して周方向の他方側に位置するスロット１５に収容された１本の電気導体６１とを有する。更に、周方向に隣り合う小巻線Ｍｓ１が巻装された３個ずつのスロット１５は、中央のスロット１５が１２スロットピッチ離間するとともに、周方向の一方側の小巻線Ｍｓ１が巻装された３個のスロット１５のうち中央のスロット１５に対して周方向の他方側に位置するスロット１５と、周方向の他方側の小巻線Ｍｓ１が巻装された３個のスロット１５のうち中央のスロット１５に対して周方向の一方側に位置するスロット１５とが同一のスロット１５となっている。即ち、周方向に隣り合う小巻線Ｍｓ１が巻装された３個ずつのスロット１５において、周方向の一方側の小巻線Ｍｓ１が巻装された３つのスロット１５のうち２本（（ｓ＋１）本）の電気導体６１が挿入されたスロット１５と、周方向の他方側の小巻線Ｍｓ１が巻装された３つのスロット１５のうち１本（ｓ本）の電気導体６１が挿入されたスロット１５とが同一のスロット１５となっている。従って、周方向にｍｎスロットピッチ毎のスロット１５には、３本（（２ｓ＋１）本）ずつの電気導体６１が挿入されることになる。
【００８２】
上記したように、本第１実施形態によれば、以下の効果を有する。
（１）各相の巻線（即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２）において、電機子コア１周分の巻線におけるスロット１５あたりの電気導体６１の本数が奇数本となっている。従って、電機子コア１周分の巻線におけるスロット１５あたりの電気導体６１が奇数本となるように各相の巻線を形成することができる。その結果、各相の巻線の設計上の自由度を高めることができる。
【００８３】
（２）各相の巻線（即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２）が周方向に複数の小巻線Ｍｓ１を有することで、各相の巻線における電機子コア１周分の巻線において、ｍｎスロットピッチ毎のスロット１５内の電気導体６１の本数を容易に（２ｓ＋１）本、即ち奇数本とすることができる。
【００８４】
（３）各スロット１５の内部で複数の電気導体６１を径方向に一列に並べることにより、各スロット１５の周方向の幅を狭めることができる。その結果、電機子コア１２の径方向の大型化を抑制することができる。また、各相の巻線において、電機子コア１周分の巻線におけるスロット１５あたりの電気導体６１の本数が偶数本である場合に比べて、各相の巻線（即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２）において、周方向にｍｎスロットピッチ離間した電気導体６１同士を電機子コア１２の軸方向の一端側で連結する連結部６２，６４，６５，６８が多重に重なることが抑制される。従って、周方向にｍｎスロットピッチ離間した電気導体６１同士を電機子コア１２の軸方向の一端側で連結する連結部６２，６４，６５，６８が径方向に大型化されることが抑制される。その結果、連結部６２，６４，６５，６８が径方向に大型化されることによって生じる径方向に隣り合う電気導体６１間の隙間を、減少させることができる。よって、ステータ１１の径方向の大型化を抑制することができる。
【００８５】
（４）従来のステータは、複数のセグメント導体において一対の電気導体を連結するターン部が軸方向に重なるため、各相の巻線において電機子コアの軸方向の端面から突出した部分であるコイルエンドが軸方向に高くなっていた。その結果、電機子が軸方向に大型化されてしまうという問題があった。これに対し、本実施形態では、それぞれが有する一対の電気導体６１が周方向に６スロットピッチ離間した同じ２つのスロット１５に挿入された第１〜第３巻線用セグメント５１〜５３のうち第１巻線用セグメント５１と第３巻線用セグメント５３との２本のセグメント導体は、第２円弧部６４ｃと第３円弧部６５ｃとが周方向に重なっている。更に、それぞれが有する一対の電気導体６１が周方向に６スロットピッチ離間した同じ２つのスロット１５に挿入された第１〜第３巻線用セグメント５１〜５３のうち第１巻線用セグメント５１と第３巻線用セグメント５３との２本のセグメント導体は、第２円弧部６４ｃの頂点Ｐ２における電機子コア１２の軸方向の一端面からの高さと第３円弧部６５ｃの頂点Ｐ３における電機子コア１２の軸方向の一端面からの高さとが等しくなっている。そのため、それぞれが有する２本の電気導体６１が同じ２つのスロット１５に収容された複数のセグメント導体のうち全てのセグメント導体の連結部が軸方向に重なる場合に比べて、各相の巻線において電機子コア１２の軸方向の端面から突出した部分であるコイルエンドの軸方向の高さを抑えることができる。その結果、ステータ１１の軸方向の長さを抑えることができ、ひいては同ステータ１１を備えたブラシレスモータ１の軸方向の小型化を図ることができる。
【００８６】
（５）ブラシレスモータ１は、電機子コア１周分の巻線におけるスロットあたりの電気導体６１が奇数本となるように各相の巻線が形成されたステータ１１を備えている。即ち、モータは、各相の巻線の設計上の自由度が高められたステータ１１を備えているため、要求される出力特性を実現しやすくなる。
【００８７】
（６）従来のように、各相の巻線において、電機子コアを２周する間に、スロットあたり３本ずつ挿入された電気導体を連結する場合には、１周目の巻線と２周目の巻線とを連結するためのセグメント導体が必要となる。これに対し、本実施形態では、各相の巻線（即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２）は、電機子コア１２を１周する間に、スロット１５あたり３本ずつ挿入された電気導体６１が連結される。従って、各相の巻線を構成するセグメント導体の本数が増大することを抑制できる。
【００８８】
（７）第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２は、それぞれ複数のセグメント導体から構成されたＳＣ巻線である。従って、電気導体６１の軸方向と直交する断面の形状をスロット１５の軸方向と直交する断面の形状に応じた形状とすることができるため、占積率を高くすることができる。その結果、ステータ１１を備えたブラシレスモータ１の高性能化を図ることができる。
【００８９】
（第２実施形態）
以下、一実施形態の電機子を備えたモータについて説明する。尚、本第２実施形態では、上記第１実施形態と同様の構成に同じ符号を付してその説明を省略する。
【００９０】
図１０（ａ）に示す本第２実施形態の電機子としてのステータ８１は、上記第１実施形態のステータ１１に代えてブラシレスモータ１に備えられるものである。図１及び図１０（ａ）に示すように、第２実施形態のステータ８１を備えたブラシレスモータ１においては、ステータ８１の内側に配設されたロータ２１は、周方向に４個のマグネット２４を備えている。即ち、本第２実施形態では、磁極の数は４個（即ちＰ＝４）となっている。
【００９１】
図１０（ａ）に示すように、ステータ８１は、電機子コア８２と、該電機子コア８２に巻装された電機子巻線Ｍｂとを有する。電機子コア８２は、環状部１３と、該環状部１３から径方向内側に延び周方向に並ぶ１２個のティース１４とから構成されている。１２個のティース１４は周方向に等角度間隔（本実施形態では３０°間隔）に設けられている。電機子コア８２は、１２個のティース１４を有することにより、周方向に並ぶ１２個のスロット１５を有する。尚、説明の便宜上、１２個のスロット１５に周方向に順にスロット番号「１」〜「１２」を付す。図１０（ａ）においては、スロット番号は、対応するスロット１５の径方向内側に白丸で囲んで図示している。
【００９２】
前記電機子巻線Ｍｂは、電機子コア８２のスロット１５に巻装されている。電機子巻線Ｍｂは、Ｕ相巻線Ｍｕ３、Ｖ相巻線Ｍｖ３及びＷ相巻線Ｍｗ３の３相の巻線から構成されており、その相数ｍは「３」である。
【００９３】
電機子巻線Ｍｂが巻装された前記電機子コア８２は、１２個のスロット１５を有する。このスロット１５の数は、マグネット２４の磁極の数Ｐ及び電機子巻線Ｍｂが有する巻線の相数ｍを用いて、（Ｐ×ｍ×ｎ）個（但し、ｎは自然数）に設定されている。本実施形態では、磁極の数Ｐは「４」、相数ｍは「３」、ｎは「１」であることから、スロット１５の数は１２個となっている。
【００９４】
図１１（ａ）、図１１（ｂ）及び図１２に示すように、Ｕ相巻線Ｍｕ３、Ｖ相巻線Ｍｖ３及びＷ相巻線Ｍｗ３は、それぞれ第１巻線用セグメント９１、第２巻線用セグメント９２、第３巻線用セグメント９３、給電用セグメント９４及び中性点用セグメント９５から構成されている。即ち、Ｕ相巻線Ｍｕ３、Ｖ相巻線Ｍｖ３及びＷ相巻線Ｍｗ３は、それぞれ複数のセグメント導体から構成されたＳＣ巻線（セグメントコンダクタ巻線）である。尚、図１１（ａ）及び図１１（ｂ）には、Ｕ相巻線Ｍｕ３のみを図示している。また、図１２においては、Ｕ相巻線Ｍｕ３を実線で図示し、Ｖ相巻線Ｍｖ３を破線で図示し、Ｗ相巻線Ｍｗ３を一点鎖線で図示している。
【００９５】
第１巻線用セグメント９１は、長手方向と直交する断面の形状が四角形状をなし外周面が絶縁被膜にて被覆された１本の導線を折り返すように屈曲して形成されている。この第１巻線用セグメント９１は、一対の電気導体６１と、これらの電気導体６１を同電気導体６１の長手方向の一端部で連結する連結部９６と、各電気導体６１の長手方向の他端部から延びる渡り部６３とを有する。第１巻線用セグメント９１において、一対の電気導体６１は、電機子コア８２の周方向にｍｎスロットピッチ離間した２つのスロット１５に挿入されるべく、ｍｎスロット分離間した状態で平行に延びている。本実施形態では、相数ｍは「３」、ｎは「１」であるため、一対の電気導体６１は３スロット分だけ離間している。また、第１巻線用セグメント９１において、一対の電気導体６１の長手方向の他端部（図１２において下端部）からそれぞれ延びる前記渡り部６３の長さは、１つのスロット１５を周方向に横切る長さとなっている。
【００９６】
前記第２巻線用セグメント９２は、第１巻線用セグメント９１と同様に、長手方向と直交する断面の形状が四角形状をなし外周面が絶縁被膜にて被覆された１本の導線を折り返すように屈曲して形成されている。この第２巻線用セグメント９２は、一対の電気導体６１と、これらの電気導体６１を同電気導体６１の長手方向の一端部で連結する連結部９７と、電気導体６１の長手方向の他端部から延びる渡り部６３とを有する。第２巻線用セグメント９２において、一対の電気導体６１は、第１巻線用セグメント９１の一対の電気導体６１と同様に、３スロットピッチ離間した２つのスロット１５に挿入されるべく、３スロット分だけ離間した状態で平行に延びている。また、第２巻線用セグメント９２において、一対の電気導体６１の長手方向の他端部（図１２において下端部）からそれぞれ延びる前記渡り部６３の長さは、１つのスロット１５を周方向に横切る長さとなっている。
【００９７】
第３巻線用セグメント９３は、第１巻線用セグメント９１と同様に、長手方向と直交する断面の形状が四角形状をなし外周面が絶縁被膜にて被覆された１本の導線を折り返すように屈曲して形成されている。この第３巻線用セグメント９３は、一対の電気導体６１と、これらの電気導体６１を同電気導体６１の長手方向の一端部で連結する連結部９８と、電気導体６１の長手方向の他端部から延びる渡り部６３とを有する。第３巻線用セグメント９３において、一対の電気導体６１は、第１巻線用セグメント９１の一対の電気導体６１と同様に、３スロットピッチ離間した２つのスロット１５に挿入されるべく、３スロット分だけ離間した状態で平行に延びている。また、第３巻線用セグメント９３において、一対の電気導体６１の長手方向の他端部（図１２において下端部）からそれぞれ延びる前記渡り部６３の長さは、１つのスロット１５を周方向に横切る長さとなっている。
【００９８】
前記給電用セグメント９４は、第１巻線用セグメント９１と同様に、長手方向と直交する断面の形状が四角形状をなし外周面が絶縁被膜にて被覆された１本の導線を屈曲して形成されている。この給電用セグメント９４は、第１巻線用セグメント９１の電気導体６１と同様の電気導体６１を１本と、同電気導体６１の長手方向の一端（図１２において上端）から延びる給電用引出し部６６と、同電気導体６１の長手方向の他端（図１２において下端）から延びる渡り部６３とを有する。そして、給電用セグメント９４の渡り部６３は、１つのスロット１５を周方向に横切る長さとなっている。
【００９９】
中性点用セグメント９５は、第１巻線用セグメント９１と同様に、長手方向と直交する断面の形状が四角形状をなし外周面が絶縁被膜にて被覆された１本の導線を屈曲して形成されている。この中性点用セグメント９５は、第１巻線用セグメント９１の電気導体６１と同様の電気導体６１と、同電気導体６１の長手方向の一端（図１２において上端）から延びる中性点用引出し部６７と、同電気導体６１の長手方向の他端（図１２において下端）から延びる渡り部６３とを有する。そして、中性点用セグメント９５の渡り部６３は、１つのスロット１５を周方向に横切る長さとなっている。
【０１００】
前記Ｕ相巻線Ｍｕ３は、周方向にｍｎスロットピッチ毎（本実施形態では３スロットピッチ毎）の合計４個のスロット１５に巻装されている。そして、Ｕ相巻線Ｍｕ３は、２本の第１巻線用セグメント９１と、２本の第２巻線用セグメント９２と、１本の第３巻線用セグメント９３と、１本の給電用セグメント９４と、１本の中性点用セグメント９５とから構成されている。第１巻線用セグメント９１、第２巻線用セグメント９２、第３巻線用セグメント９３、給電用セグメント９４及び中性点用セグメント９５は、電機子コア８２の軸方向の一端側（図１２において上端側）からスロット１５に挿入されている。そして、図１０（ｂ）に示すように、各スロット１５には３本の電気導体６１が収容されている。各スロット１５内の３本の電気導体６１は、電機子コア８２の径方向に１列に並んでいる。各スロット１５内において、電気導体６１とスロット１５の内周面との間には、電気導体６１と電機子コア１２とを絶縁するための絶縁部材７１が介在されている。尚、図１２においては、各スロット１５内で径方向に並ぶ３本の電気導体６１を、最も径方向内側に配置されるものから順に左から右へ図示している。また、電気導体６１の長手方向の中央部に図示した数字はスロット番号である。
【０１０１】
図１１（ａ）、図１１（ｂ）及び図１２に示すように、Ｕ相巻線Ｍｕ３を構成する２本の第１巻線用セグメント９１は、３スロットピッチ離間した２つのスロット１５（即ち、間に２つのスロット１５を挟んだ２つのスロット１５）にそれぞれが有する一対の電気導体６１が挿入されている。詳述すると、Ｕ相巻線Ｍｕ３を構成する２本の第１巻線用セグメント９１のうち１本の第１巻線用セグメント９１は、一方の電気導体６１がスロット番号「１」のスロット１５に挿入され、当該一方の電気導体６１が挿入されたスロット番号「１」のスロット１５から周方向に３スロット離間したスロット番号「４」のスロット１５に他方の電気導体６１が挿入されている。同様に、残りの１本の第１巻線用セグメント９１は、一方の電気導体６１がスロット番号「７」のスロット１５に挿入され、当該一方の電気導体６１が挿入されたスロット番号「７」のスロット１５から周方向に３スロット離間したスロット番号「１０」のスロット１５に他方の電気導体６１が挿入されている。尚、これら２本の第１巻線用セグメント９１を電機子コア８２の軸方向の一端側からスロット１５に挿入するときには、各第１巻線用セグメント９１の各渡り部６３は、各渡り部６３の基端側の電気導体６１に対して屈曲されておらず、それぞれ電気導体６１と同じ一直線上となるように延びている。従って、各第１巻線用セグメント９１は、スロット１５に挿入するときには、略Ｕ字状をなしている。
【０１０２】
また、各第１巻線用セグメント９１の一方の電気導体６１（図１１（ａ）及び図１２において左側に位置する電気導体６１）は、挿入されたスロット１５内において径方向内側から３番目に位置する。更に、各第１巻線用セグメント９１の他方の電気導体６１（図１１（ａ）及び図１２において右側に位置する電気導体６１）は、挿入されたスロット１５内において径方向内側から１番目に位置する。
【０１０３】
Ｕ相巻線Ｍｕ３を構成する２本の第２巻線用セグメント９２は、３スロットピッチ離間した２つのスロット１５にそれぞれが有する一対の電気導体６１が挿入されている。詳述すると、Ｕ相巻線Ｍｕ３を構成する２本の第２巻線用セグメント９２のうち１本の第２巻線用セグメント９２は、一方の電気導体６１がスロット番号「４」のスロット１５に挿入され、当該一方の電気導体６１が挿入されたスロット番号「４」のスロット１５から周方向に３スロット離間したスロット番号「７」のスロット１５に他方の電気導体６１が挿入されている。同様に、残りの１本の第２巻線用セグメント９２は、一方の電気導体６１がスロット番号「１０」のスロット１５に挿入され、当該一方の電気導体６１が挿入されたスロット番号「１０」のスロット１５から周方向に３スロット離間したスロット番号「１」のスロット１５に他方の電気導体６１が挿入されている。尚、これら２本の第２巻線用セグメント９２を電機子コア８２の軸方向の一端側からスロット１５に挿入するときには、各第２巻線用セグメント９２の渡り部６３は、各渡り部６３の基端側の電気導体６１に対して屈曲されておらず、それぞれ電気導体６１と同じ一直線上となるように延びている。従って、各第２巻線用セグメント９２は、スロット１５に挿入するときには、略Ｕ字状をなしている。
【０１０４】
また、各第２巻線用セグメント９２の一方の電気導体６１（図１１（ａ）及び図１２において左側に位置する電気導体６１）は、挿入されたスロット１５内において径方向内側から２番目に位置する。更に、各第２巻線用セグメント９２の他方の電気導体６１（図１１（ａ）及び図１２において右側に位置する電気導体６１）は、挿入されたスロット１５内において径方向内側から１番目に位置する。
【０１０５】
Ｕ相巻線Ｍｕ３を構成する１本の第３巻線用セグメント９３は、３スロットピッチ離間した２つのスロット１５に一対の電気導体６１が挿入されている。この第３巻線用セグメント９３は、一方の電気導体６１がスロット番号「４」のスロット１５に挿入され、当該一方の電気導体６１が挿入されたスロット番号「４」のスロット１５から周方向に３スロット離間したスロット番号「７」のスロット１５に他方の電気導体６１が挿入されている。第３巻線用セグメント９３を電機子コア８２の軸方向の一端側からスロット１５に挿入するときには、各第３巻線用セグメント９３の渡り部６３は、各渡り部６３の基端側の電気導体６１に対して屈曲されておらず、それぞれ電気導体６１と同じ一直線上となるように延びている。従って、第３巻線用セグメント９３は、スロット１５に挿入するときには、略Ｕ字状をなしている。そして、この第３巻線用セグメント９３の一方の電気導体６１（図１１（ａ）及び図１２において左側に位置する電気導体６１）は、挿入されたスロット１５内において径方向内側から３番目に位置する。更に、この第３巻線用セグメント９３の他方の電気導体６１（図１１（ａ）及び図１２において右側に位置する電気導体６１）は、挿入されたスロット１５内において径方向内側から２番目に位置する。
【０１０６】
Ｕ相巻線Ｍｕ３を構成する１本の給電用セグメント９４は、スロット番号「１」のスロット１５に挿入されている。給電用セグメント９４を電機子コア８２の軸方向の一端側からスロット１５に挿入するときには、該給電用セグメント９４の渡り部６３は、電気導体６１に対して屈曲されておらず、電気導体６１と同じ一直線上となるように延びている。そして、この給電用セグメント９４の電気導体６１は、挿入されたスロット１５内において径方向内側から２番目に位置する。
【０１０７】
Ｕ相巻線Ｍｕ３を構成する１本の中性点用セグメント９５は、スロット番号「１０」のスロット１５に挿入されている。中性点用セグメント９５を電機子コア８２の軸方向の一端側からスロット１５に挿入するときには、該中性点用セグメント９５の渡り部６３は、電気導体６１に対して屈曲されておらず、電気導体６１と同じ一直線上となるように延びている。そして、この中性点用セグメント９５の電気導体６１は、挿入されたスロット１５内において径方向内側から３番目に位置する。
【０１０８】
そして、図１１（ａ）、図１１（ｂ）及び図１２に示すように、Ｕ相巻線Ｍｕ３を構成する第１巻線用セグメント９１、第２巻線用セグメント９２、第３巻線用セグメント９３、給電用セグメント９４及び中性点用セグメント９５は、スロット１５を軸方向に貫通して電機子コア８２の軸方向の他端側に突出している。これらの第１巻線用セグメント９１、第２巻線用セグメント９２、第３巻線用セグメント９３、給電用セグメント９４及び中性点用セグメント９５の各セグメント導体においては、渡り部６３が電機子コア８２の軸方向の他端側に突出している。そして、電機子コア８２の軸方向の他端側では、各スロット１５から電機子コア８２の軸方向の他端側に突出した渡り部６３がその基端部において周方向に屈曲されるとともに、渡り部６３の先端部が屈曲されて軸方向に延びる接続部６３ａが形成されている。更に、電機子コア８２の軸方向の他端側では、スロット番号「１」のスロット１５とスロット番号「１」のスロット１５から周方向の一方側（図１２において右側）に６スロット離間したスロット番号「７」のスロット１５との２つのスロット１５内の径方向内側から１番目の電気導体６１と、周方向の一方側に３スロットピッチ（即ちｍｎスロットピッチ）離間したスロット１５内の径方向内側から３番目の電気導体６１とが接続されている。また、電機子コア８２の他端側では、スロット番号「１」，「７」のスロット１５内の径方向内側から２番目の電気導体６１と、周方向の一方側に３スロットピッチ離間したスロット１５内の径方向内側から１番目の電気導体６１とが接続されている。更に、電機子コア８２の軸方向の他端側では、スロット番号「１」，「７」のスロット１５内の径方向内側から３番目の電気導体６１と、周方向の他方側（図１２において左側）に３スロットピッチ離間したスロット１５内の径方向内側から２番目の電気導体６１とが接続されている。互いに接続された２本ずつの電気導体６１は、電機子コア８２の軸方向の他端側で当該電気導体６１から延びる渡り部６３の先端部に設けられた接続部６３ａ同士が隣り合わされて同接続部６３ａ同士が溶接により接続されることにより電気的及び機械的に接続されている。このように、Ｕ相巻線を構成する電機子コア８２の他端側で所定の電気導体６１同士が接続されることにより、第１巻線用セグメント９１、第２巻線用セグメント９２、第３巻線用セグメント９３、給電用セグメント９４及び中性点用セグメント９５が連結されている。
【０１０９】
Ｕ相巻線Ｍｕ３は、上記のように構成されることにより、電機子コア８２に分布巻にて巻装されるとともに、電機子コア８２を周方向に１周している。また、電機子コア８２を１周するＵ相巻線Ｍｕ３は、周方向に３スロットピッチ毎のスロット１５に（２ｓ＋１）本ずつ収容された電気導体６１が連結されて構成されている。ｓは自然数であり、本実施形態では「１」である。従って、Ｕ相巻線Ｍｕ３は、スロット１５あたりの電気導体６１の本数が３本となっている。
【０１１０】
Ｕ相巻線Ｍｕ３を給電用セグメント９４から辿ると、まず、スロット番号「１」のスロット１５と、スロット番号「１」のスロット１５から周方向の両側にｍｎスロット（本実施形態では３スロット）ずつ離間したスロット番号「４」のスロット１５及びスロット番号「１０」のスロット１５との合計３つのスロット１５に巻装されている。即ち、Ｕ相巻線Ｍｕ３は、まず、周方向にｍｎスロットずつ離間した３つのスロット１５に巻装されている。そして、Ｕ相巻線Ｍｕ３は、まず、当該３つのスロット１５のうち中央のスロット番号「１」のスロット１５内の１本の電気導体６１であって本実施形態ではスロット１５内で径方向内側から２番目の電気導体６１と、スロット番号「１」のスロット１５に対して周方向の一方側（図１２において右側）に位置するスロット番号「４」のスロット１５内の１本の電気導体６１であって本実施形態ではスロット１５内で径方向内側から１番目の電気導体６１とが、電機子コア８２の軸方向の他端側（図１２において下端側）で各々から延びる渡り部６３によって連結されている。また、スロット番号「４」のスロット１５内の径方向内側から１番目の電気導体６１は、中央のスロット番号「１」のスロット１５内の１本の電気導体６１であって本実施形態ではスロット１５内で径方向内側から３番目の電気導体６１と、電機子コア８２の軸方向の一端側（図１２において上端側）で連結部９６によって連結されている。更に、中央のスロット番号「１」のスロット１５内の径方向内側から３番目の電気導体６１は、中央のスロット１５に対して周方向の他方側（図１２において左側）に位置するスロット番号「１０」のスロット１５内の１本の電気導体６１であって本実施形態ではスロット１５内で径方向内側から２番目の電気導体６１と、電機子コア８２の軸方向の他端側で各々から延びる渡り部６３によって連結されている。そして、スロット番号「１０」のスロット１５内の径方向内側から２番目の電気導体６１は、中央のスロット番号「１」のスロット１５内の１本の電気導体６１であって本実施形態ではスロット１５内で径方向内側から１番目の電気導体６１と、電機子コア８２の軸方向の一端側で連結部９７によって連結されている。更に、スロット番号「１」のスロット１５内の径方向内側から１番目の電気導体６１は、スロット番号「４」のスロット１５内の１本の電気導体６１であって本実施形態ではスロット１５内で径方向内側から３番目の電気導体６１と、電機子コア８２の軸方向の他端側で各々から延びる渡り部６３によって連結されている。
【０１１１】
このように、Ｕ相巻線Ｍｕ３は、給電用セグメント９４から辿ると、まず、３スロットずつ離間した３つのスロット１５、即ちスロット番号「１０」，「１」，「４」の３つのスロット１５に、径方向から見て数字の「８」を描くように形成されている。そのため、スロット番号「１」のスロット１５とスロット番号「４」のスロット１５との間の３本のティース１４の回りを一回りする分布巻の巻線と、スロット番号「１」のスロット１５とスロット番号「１０」のスロット１５との間の３本のティース１４の回りを一回りする分布巻の巻線とが連続して形成されている。この２つの分布巻の巻線は、径方向から見て巻方向が逆となっている。尚、本実施形態においてｍｎスロットずつ離間した３つのスロット１５に上記のように巻装された巻線を、巻線を小巻線Ｍｓ２とする。この小巻線Ｍｓ２を構成する電気導体６１は、中央のスロット番号「１」のスロット１５には（２ｓ＋１）本、中央のスロット番号「１」のスロット１５に対して周方向の一方側に位置するスロット番号「４」のスロット１５には（ｓ＋１）本、中央のスロット番号「１」のスロット１５に対して周方向の他方側に位置するスロット番号「１０」のスロット１５にはｓ本収容されている。尚、前述したように本実施形態ではｓは「１」である。
【０１１２】
また、Ｕ相巻線Ｍｕ３においては、小巻線Ｍｓ２の周方向の中央とされたスロット番号「１」のスロット１５から周方向の一方側（図１２において右側）に２ｍｎスロット（本実施形態では６スロット）離間したスロット番号「７」のスロット１５を中央のスロット１５として３スロットずつ離間した３つのスロット１５に同様の小巻線Ｍｓ２が形成されている。そして、スロット番号「４」，「７」，「１０」の３つのスロット１５に巻装された当該小巻線Ｍｓ２は、中央のスロット番号「７」のスロット１５内の１本の電気導体６１であってスロット１５内で径方向内側から２番目の電気導体６１と、スロット番号「４」のスロット１５内の１本の電気導体６１であって径方向内側から３番目の電気導体６１とが電機子コア８２の一端側で連結部９８によって連結されることにより、スロット番号「１」のスロット１５を中央のスロット１５として形成された小巻線Ｍｓ２と連結されている。因みに、スロット番号「４」のスロット１５内の径方向内側から３番目の電気導体６１は、スロット番号「１」のスロット１５を中央のスロット１５として形成された小巻線Ｍｓ２を構成するものである。
【０１１３】
このように、Ｕ相巻線Ｍｕ３は、給電のために引き出される給電用引出し部６６から中性点の形成のために引き出される中性点用引出し部６７まで、２ｍｎスロットピッチ毎に形成された小巻線Ｍｓ２が連結されて、電機子コア８２を１周している。
【０１１４】
図１０（ａ）及び図１２に示すように、Ｖ相巻線Ｍｖ３及びＷ相巻線Ｍｗ３は、Ｕ相巻線Ｍｕ３と同様に、周方向にｍｎスロットピッチ毎（本実施形態では３スロットピッチ毎）の４個ずつのスロット１５にそれぞれ巻装されている。また、Ｖ相巻線Ｍｖ３及びＷ相巻線Ｍｗ３は、Ｕ相巻線Ｍｕ３と同様に連結された、２本の第１巻線用セグメント９１、２本の第２巻線用セグメント９２、１本の第３巻線用セグメント９３、１本の給電用セグメント９４及び１本の中性点用セグメント９５から構成されている。そして、Ｖ相巻線Ｍｖ３は、Ｕ相巻線Ｍｕ３に対して周方向の一方側に１スロットピッチずれた状態でＵ相巻線Ｍｕ３と同様に電機子コア８２に巻装されている。また、Ｗ相巻線Ｍｗ３は、Ｕ相巻線Ｍｕ３に対して周方向の一方側に２スロットピッチずれた状態でＵ相巻線Ｍｕ３と同様に電機子コア８２に巻装されている。
【０１１５】
そして、Ｕ相巻線Ｍｕ３を構成する給電用セグメント９４の給電用引出し部６６、Ｖ相巻線Ｍｖ３を構成する給電用セグメント９４の給電用引出し部６６、及びＷ相巻線Ｍｗ３を構成する給電用セグメント９４の給電用引出し部６６は、駆動装置４１の対応するスイッチングトランジスタ４４にそれぞれ接続されている。更に、Ｕ相巻線Ｍｕ３を構成する中性点用セグメント９５の中性点用引出し部６７、Ｖ相巻線Ｍｖ３を構成する中性点用セグメント９５の中性点用引出し部６７及びＷ相巻線Ｍｗ３を構成する中性点用セグメント９５の中性点用引出し部６７は、互いに接続されて中性点を形成している。即ち、Ｕ相巻線Ｍｕ３、Ｖ相巻線Ｍｖ３及びＷ相巻線Ｍｗ３からなる本実施形態の電機子巻線Ｍｂは、Ｙ結線の３相巻線である。
【０１１６】
次に、本第２実施形態のステータ８１の作用を説明する。
Ｕ相巻線Ｍｕ３、Ｖ相巻線Ｍｖ３及びＷ相巻線Ｍｗ３は、それぞれ、周方向に３スロットピッチ毎のスロット１５に３本ずつ収容された電気導体６１が連結されて構成されている。従って、電機子コア１周分の巻線におけるスロット１５あたりの電気導体６１が奇数本となるように各相の巻線を形成できる。
【０１１７】
また、各相の巻線（即ち、Ｕ相巻線Ｍｕ３、Ｖ相巻線Ｍｖ３及びＷ相巻線Ｍｗ３）は、周方向に３スロットピッチ毎の３個のスロット１５に巻装された小巻線Ｍｓ２を周方向に複数有する。そして、各小巻線Ｍｓ２は、周方向に３スロットピッチ毎の３個のスロット１５のうち中央のスロット１５に収容された３本の電気導体６１と、中央のスロット１５に対して周方向の一方側に位置するスロットに収容された２本の電気導体と、中央のスロット１５に対して周方向の他方側に位置するスロット１５に収容された１本の電気導体６１とを有する。更に、周方向に隣り合う小巻線Ｍｓ２が巻装された３個ずつのスロット１５は、中央のスロット１５が６スロットピッチ離間するとともに、周方向の一方側の小巻線Ｍｓ２が巻装された３個のスロット１５のうち中央のスロット１５に対して周方向の他方側に位置するスロット１５と、周方向の他方側の小巻線Ｍｓ２が巻装された３個のスロット１５のうち中央のスロット１５に対して周方向の一方側に位置するスロット１５とが同一のスロット１５となっている。即ち、周方向に隣り合う小巻線Ｍｓ２が巻装された３個ずつのスロット１５において、周方向の一方側の小巻線Ｍｓ２が巻装された３つのスロット１５のうち２本（（ｓ＋１）本）の電気導体６１が挿入されたスロット１５と、周方向の他方側の小巻線Ｍｓ２が巻装された３つのスロット１５のうち１本（ｓ本）の電気導体６１が挿入されたスロット１５とが同一のスロット１５となっている。従って、周方向にｍｎスロットピッチ毎のスロット１５には、３本（（２ｓ＋１）本）ずつの電気導体６１が挿入されることになる。
【０１１８】
上記したように、本第２実施形態によれば、上記第１実施形態の（２），（３），（５）〜（７）と同様の効果に加えて、以下の効果を有する。
（１）各相の巻線（即ち、Ｕ相巻線Ｍｕ３、Ｖ相巻線Ｍｖ３及びＷ相巻線Ｍｗ３）において、電機子コア１周分の巻線におけるスロット１５あたりの電気導体６１の本数が奇数本となっている。従って、電機子コア１周分の巻線におけるスロット１５あたりの電気導体６１が奇数本となるように各相の巻線を形成することができる。その結果、各相の巻線の設計上の自由度を高めることができる。
【０１１９】
尚、上記各実施形態は、以下のように変更してもよい。
・上記第１実施形態のブラシレスモータ１において、電機子巻線Ｍａに代えて図１３に示す電機子巻線Ｍｃを電機子コア１２に巻装してもよい。電機子巻線Ｍｃは、第１実施形態の電機子巻線Ｍａと同様に、その相数ｍが「６」である。そして、電機子巻線Ｍｃは、第１系統３相巻線（即ち、第１Ｕ相巻線、第１Ｖ相巻線及び第１Ｗ相巻線）及び第２系統３相巻線（即ち、第２Ｕ相巻線、第２Ｖ相巻線及び第２Ｗ相巻線）から構成されている。尚、図１３には、電機子巻線Ｍｃを構成する６相の巻線のうち、第１Ｕ相巻線Ｍｕ４のみを図示している。また、スロット１５の数は、マグネット２４の磁極の数Ｐ及び電機子巻線Ｍａが有する巻線の相数ｍを用いて、（Ｐ×ｍ×ｎ）個（但し、ｎは自然数）に設定されている。磁極の数Ｐは「１０」、相数ｍは「６」、ｎは「１」に設定されており、スロット１５の数は６０個である。
【０１２０】
第１Ｕ相巻線Ｍｕ４は、９本の第１巻線用セグメント５１と、９本の第２巻線用セグメント５２と、１０本の第３巻線用セグメント１０１と、１本の給電用セグメント５４と、１本の中性点用セグメント５５と、１本の接続用セグメント５６とから構成されている。第３巻線用セグメント１０１は、第１巻線用セグメント５１と同様に、長手方向と直交する断面の形状が四角形状をなし外周面が絶縁被膜にて被覆された１本の導線を折り返すように屈曲して形成されている。この第３巻線用セグメント１０１は、一対の電気導体６１と、これらの電気導体６１を同電気導体６１の長手方向の一端部で連結する連結部１０２と、電気導体６１の長手方向の他端部から延びる渡り部６３とを有する。第３巻線用セグメント１０１において、一対の電気導体６１は、６スロットピッチ離間した２つのスロット１５に挿入されるべく、６スロット分だけ離間した状態で平行に延びている。また、第３巻線用セグメント１０１において、各渡り部６３の長さは、３スロット分の長さ（周方向に並ぶ２つのスロット１５を周方向に横切る長さ）となっている。
【０１２１】
そして、第１Ｕ相巻線Ｍｕ４は、周方向にｍｎスロットピッチ毎（本実施形態では６スロットピッチ毎）の合計１０個のスロット１５に巻装されている。第１Ｕ相巻線Ｍｕ４を構成する第１巻線用セグメント５１、第２巻線用セグメント５２、第３巻線用セグメント１０１、給電用セグメント５４、中性点用セグメント５５及び接続用セグメント５６は、電機子コア１２の軸方向の一端側からスロット１５に挿入されている。そして、各スロット１５には６本の電気導体６１が収容されている。各スロット１５内の６本の電気導体６１は、電機子コア１２の径方向に１列に並んでいる。尚、図１３においては、各スロット１５内で径方向に並ぶ６本の電気導体６１を、最も径方向内側に配置されるものから順に左から右へ図示している。また、電気導体６１の長手方向の中央部に図示した数字はスロット番号である。
【０１２２】
第１Ｕ相巻線Ｍｕ４を構成する９本の第１巻線用セグメント５１、９本の第２巻線用セグメント５２、給電用セグメント５４、中性点用セグメント５５及び接続用セグメント５６は、上記第１実施形態の第１Ｕ相巻線Ｍｕ１と同様にスロット１５に挿入されている。第１Ｕ相巻線Ｍｕ４を構成する１０本の第３巻線用セグメント１０１は、６スロットピッチ離間した２つのスロット１５（即ち、間に５つのスロット１５を挟んだ２つのスロット１５）にそれぞれが有する一対の電気導体６１が挿入されている。詳述すると、第１Ｕ相巻線Ｍｕ４を構成する１０本の第３巻線用セグメント１０１のうち１本の第３巻線用セグメント１０１は、一方の電気導体６１がスロット番号「７」のスロット１５に挿入され、一方の電気導体６１が挿入されたスロット番号「７」のスロット１５から周方向に６スロット離間したスロット番号「１３」のスロット１５に他方の電気導体６１が挿入されている。同様に、残りの９本の第３巻線用セグメント１０１は、一方の電気導体６１がスロット番号「１３」，「１９」，「２５」，「３１」，「３７」，「４３」，「４９」，「５５」，「１」のスロット１５に挿入され、一方の電気導体６１が挿入されたスロット１５から周方向に６スロット離間したスロット番号「１９」，「２５」，「３１」，「３７」，「４３」，「４９」，「５５」，「１」，「７」のスロット１５に他方の電気導体６１が挿入されている。そして、これら１０本の第３巻線用セグメント１０１の一方の電気導体６１（図１３において左側に位置する電気導体６１）は、挿入されたスロット１５内において径方向内側から２番目に位置する。更に、これら１０本の第３巻線用セグメント１０１の他方の電気導体６１（図１３において右側に位置する電気導体６１）は、挿入されたスロット１５内において径方向内側から４番目に位置する。
【０１２３】
従って、電機子コア１２の軸方向の一端側では、各スロット１５内の径方向内側から１番目の電気導体６１と、周方向の一方側（図１２において右側）にｍｎスロットピッチ（本例では６スロットピッチ）離間したスロット１５内の径方向内側から６番目の電気導体６１とが連結部６２によって連結されている。また、電機子コア１２の軸方向の一端側では、各スロット１５内の径方向内側から３番目の電気導体６１と、周方向の一方側にｍｎスロットピッチ（本例では６スロットピッチ）離間したスロット１５内の径方向内側から５番目の電気導体６１とが連結部６５によって連結されている。更に、電機子コア１２の軸方向の一端側では、各スロット１５内の径方向内側から２番目の電気導体６１と、周方向の一方側にｍｎスロットピッチ（本例では６スロットピッチ）離間したスロット１５内の径方向内側から４番目の電気導体６１とが連結部１０２によって連結されている。尚、６０個のスロット１５のうち径方向内側から６番目の電気導体６１が給電のために引き出されたスロット１５、即ちスロット番号「７」のスロット１５内の径方向内側から５番目の電気導体６１は、当該スロット番号「７」のスロット１５から周方向にｍｎスロットピッチ（本例では６スロットピッチ）離間したスロット番号「１」のスロット１５内の径方向内側から１番目の電気導体６１と連結部６８によって連結されている。スロット番号「１」のスロット１５内の径方向内側から３番目の電気導体６１からは、中性点を形成するための中性点用引出し部６７が引出されている。
【０１２４】
一方、電機子コア１２の軸方向の他端側では、各スロット１５内の径方向内側から６番目の電気導体６１と、周方向の一方側（図１３において右側）にｍｎスロットピッチ（本例では６スロットピッチ）離間したスロット１５内の径方向内側から５番目の電気導体６１とが渡り部６３によって連結されている。また、電機子コア１２の他端側では、各スロット１５内の径方向内側から４番目の電気導体６１と、周方向の一方側にｍｎスロットピッチ（本例では６スロットピッチ）離間したスロット１５内の径方向内側から１番目の電気導体６１とが渡り部６３によって連結されている。更に、電機子コア１２の軸方向の他端側では、各スロット１５内の径方向内側から２番目の電気導体６１と、周方向の一方側にｍｎスロットピッチ（本例では６スロットピッチ）離間したスロット１５内の径方向内側から３番目の電気導体６１とが渡り部６３によって連結されている。このように、電機子コア１２の他端側で所定の電気導体６１同士が連結されることにより、第１巻線用セグメント５１、第２巻線用セグメント５２、第３巻線用セグメント１０１、給電用セグメント５４、中性点用セグメント５５及び接続用セグメント５６が連結されている。
【０１２５】
第１Ｕ相巻線Ｍｕ４は、上記のように構成されることにより、電機子コア１２に分布巻にて巻装されるとともに、電機子コア１２を周方向に２周している。尚、図１３においては、第１Ｕ相巻線Ｍｕ４における１周目の巻線を実線にて図示し、２周目の巻線を破線にて図示している。そして、第１Ｕ相巻線Ｍｕ４において、給電用セグメント５４から始まる１周目の巻線と、２周目の巻線とは、上記第１実施形態の第１Ｕ相巻線Ｍｕ１と同様に接続用セグメント５６（図１３では一点鎖線にて図示）によって連結されている。また、第１Ｕ相巻線Ｍｕ４における電機子コア１周分の巻線は、周方向に６スロットピッチ毎のスロット１５に（２ｓ＋１）本ずつ収容された電気導体６１が連結されて構成されている。ｓは自然数であり、本例では「１」である。従って、第１Ｕ相巻線Ｍｕ４は、電機子コア１２の１周分の巻線は、スロット１５あたりの電気導体６１の本数が３本となっている。
【０１２６】
この第１Ｕ相巻線Ｍｕ４において給電用セグメント５４から始まる１周目の巻線は、給電用セグメント５４から辿ると、まず、６スロットずつ離間した３つのスロット１５、即ちスロット番号「１」，「７」，「１３」の３つのスロット１５に、径方向から見て数字の「８」を描くように小巻線Ｍｓ１を形成している。この小巻線Ｍｓ１を構成する電気導体６１は、中央のスロット番号「７」のスロット１５には（２ｓ＋１）本、中央のスロット番号「７」のスロット１５に対して周方向の一方側に位置するスロット番号「１３」のスロット１５には（ｓ＋１）本、中央のスロット番号「７」のスロット１５に対して周方向の他方側に位置するスロット番号「１」のスロット１５にはｓ本収容されている。尚、前述したように本例ではｓは「１」である。また、小巻線Ｍｓ１の周方向の中央のスロット１５であるスロット番号「７」のスロット１５から２ｍｎスロットピッチ毎のスロット番号「１９」，「３１」，「４３」，「５５」のスロット１５を中央のスロット１５として同様の小巻線Ｍｓ１が形成されている。更に、各小巻線Ｍｓ１は、各小巻線Ｍｓ１の周方向の中央となるスロット１５に対して周方向の他方側（図１３において左側）に２ｍｎスロット離間したスロット１５を中央のスロット１５として形成された小巻線Ｍｓ１と連結されている。この小巻線Ｍｓ１同士の連結は、連結される２つの小巻線Ｍｓ１において、周方向の一方側の小巻線Ｍｓ１の周方向の中央となるスロット１５内の径方向内側から６番目の電気導体６１と、周方向の他方側の小巻線Ｍｓ１の周方向の中央となるスロット１５に対して周方向の一方側（周方向の一方側の小巻線Ｍｓ１側）にｍｎスロット離間したスロット１５内の径方向内側から１番目の電気導体６１とを電機子コア１２の軸方向の一端側で連結することによりなされている。
【０１２７】
このように、第１Ｕ相巻線Ｍｕ４における１周目の巻線は、２ｍｎスロットピッチ毎に形成された小巻線Ｍｓ１が連結されて電機子コア１２を１周している。尚、第１Ｕ相巻線Ｍｕ４における１周目の巻線を構成する最後の電気導体６１、即ちスロット番号「１」のスロット１５内の径方向内側から１番目の電気導体６１は、接続用セグメント５６の一方の電気導体６１である。そして、第１Ｕ相巻線Ｍｕ４における２周目の巻線も、１周目の巻線と同様に、２ｍｎスロットピッチ毎に形成された小巻線Ｍｓ１が連結されて電機子コア１２を１周している。
【０１２８】
電機子巻線Ｍｃを構成する第１Ｕ相巻線Ｍｕ４以外の複数相の巻線、即ち、第１Ｖ相巻線、第１Ｗ相巻線、第２Ｕ相巻線、第２Ｖ相巻線及び第２Ｗ相巻線は、第１Ｕ相巻線Ｍｕ４と同様に、周方向にｍｎスロットピッチ毎（本例では６スロットピッチ毎）の１０個ずつのスロット１５に巻装されている。また、第１Ｖ相巻線、第１Ｗ相巻線、第２Ｕ相巻線、第２Ｖ相巻線及び第２Ｗ相巻線は、第１Ｕ相巻線Ｍｕ４と同様に連結された９本の第１巻線用セグメント５１、９本の第２巻線用セグメント５２、１０本の第３巻線用セグメント１０１、１本の給電用セグメント５４、１本の中性点用セグメント５５及び１本の接続用セグメント５６から構成されている。更に、第１Ｖ相巻線、第１Ｗ相巻線、第２Ｕ相巻線、第２Ｖ相巻線及び第２Ｗ相巻線は、それぞれ第１Ｕ相巻線Ｍｕ１に対して周方向の一方側に所定スロットピッチずれた状態で第１Ｕ相巻線Ｍｕ４と同様に電機子コア１２に巻装されている。また、第１Ｕ相巻線Ｍｕ４の給電用引出し部６６、第１Ｖ相巻線の給電用引出し部６６、及び第１Ｗ相巻線の給電用引出し部６６は、給電のために引出されて駆動装置４１の対応するスイッチングトランジスタ４４にそれぞれ接続されている。更に、第１Ｕ相巻線Ｍｕ４の中性点用引出し部６７、第１Ｖ相巻線の中性点用引出し部６７及び第１Ｗ相巻線の中性点用引出し部６７は、互いに接続されて第１系統３相巻線の第１中性点を形成している。また、第２Ｕ相巻線の給電用引出し部６６、第２Ｖ相巻線の給電用引出し部６６、及び第２Ｗ相巻線の給電用引出し部６６は、給電のために引出されて駆動装置４１の対応するスイッチングトランジスタ４４にそれぞれ接続されている。更に、第２Ｕ相巻線の中性点用引出し部６７、第２Ｖ相巻線の中性点用引出し部６７及び第２Ｗ相巻線の中性点用引出し部６７は、互いに接続されて第２系統３相巻線の第２中性点を形成している。
【０１２９】
このようにすると、電機子コア１周分の巻線におけるスロットあたりの電気導体６１の本数が３本である６相の巻線（即ち、第１Ｕ相巻線Ｍｕ４、第１Ｖ相巻線、第１Ｗ相巻線、第２Ｕ相巻線、第２Ｖ相巻線及び第２Ｗ相巻線）を備えた電機子を得ることができる。そして、上記第１実施形態のと同様の効果を得ることができる。
【０１３０】
尚、図１３に示す例において、同じスロット１５に挿入される第１巻線用セグメント５１、第２巻線用セグメント５２及び第３巻線用セグメント１０１を図１４に示すように構成してもよい。第１巻線用セグメント５１の連結部６２、第２巻線用セグメント５２の連結部６５及び第３巻線用セグメント１０１の連結部１０２は、電機子コア１２の軸方向の一端側で、周方向に重なっている。更に、連結部６２の頂点、連結部６５の頂点及び連結部１０２の頂点は、電機子コア１２の軸方向の一端面からの高さが等しくなっている。このようにすると、それぞれが有する２本の電気導体６１が同じ２つのスロット１５に収容された第１〜第３巻線用セグメント５１，５２，１０１において、３つの連結部６２，６４，１０２が軸方向に三重に重なる場合に比べて、各相の巻線において電機子コア１２の軸方向の端面から突出した部分であるコイルエンドの軸方向の高さを抑えることができる。その結果、電機子の軸方向の長さを抑えることができる。
【０１３１】
・上記第１実施形態のブラシレスモータ１において、電機子巻線Ｍａに代えて図１５、図１６（ａ）及び図１６（ｂ）に示す電機子巻線Ｍｄを電機子コア１２に巻装してもよい。電機子巻線Ｍｄは、第１実施形態の電機子巻線Ｍａと同様に、その相数ｍが「６」である。そして、電機子巻線Ｍｄは、第１系統３相巻線（即ち、第１Ｕ相巻線、第１Ｖ相巻線及び第１Ｗ相巻線）及び第２系統３相巻線（即ち、第２Ｕ相巻線、第２Ｖ相巻線及び第２Ｗ相巻線）から構成されている。尚、図１５、図１６（ａ）及び図１６（ｂ）には、電機子巻線Ｍｄを構成する６相の巻線のうち、第１Ｕ相巻線Ｍｕ５のみを図示している。また、スロット１５の数は、マグネット２４の磁極の数Ｐ及び電機子巻線Ｍａが有する巻線の相数ｍを用いて、（Ｐ×ｍ×ｎ）個（但し、ｎは自然数）に設定されている。磁極の数Ｐは「１０」、相数ｍは「６」、ｎは「１」に設定されており、スロット１５の数は６０個である。
【０１３２】
第１Ｕ相巻線Ｍｕ５は、９本の第１巻線用セグメント１１１と、９本の第２巻線用セグメント１１２と、１０本の第３巻線用セグメント１１３と、１本の給電用セグメント５４と、１本の中性点用セグメント５５と、１本の接続用セグメント１１４とから構成されている。第１巻線用セグメント１１１、第２巻線用セグメント１１２、第３巻線用セグメント１１３及び接続用セグメント１１４は、上記第１実施形態の第１巻線用セグメント５１と同様に、長手方向と直交する断面の形状が四角形状をなし外周面が絶縁被膜にて被覆された１本の導線を折り返すように屈曲して形成されている。そして、第１巻線用セグメント１１１は、一対の電気導体６１と、これら電気導体６１を長手方向の一端部で連結する連結部１１６と、各電気導体６１の長手方向の他端部から延びる渡り部６３とを有する。また、第２巻線用セグメント１１２は、一対の電気導体６１と、これら電気導体６１を長手方向の一端部で連結する連結部１１７と、各電気導体６１の長手方向の他端部から延びる渡り部６３とを有する。更に、第３巻線用セグメント１１３は、一対の電気導体６１と、これら電気導体６１を長手方向の一端部で連結する連結部１１８と、各電気導体６１の長手方向の他端部から延びる渡り部６３とを有する。また、接続用セグメント１１４は、一対の電気導体６１と、これら電気導体６１を長手方向の一端部で連結する連結部１１９と、各電気導体６１の長手方向の他端部から延びる渡り部６３とを有する。各第１〜第３巻線用セグメント１１１〜１１３及び接続用セグメント１１４において、一対の電気導体６１は、６スロットピッチ離間した２つのスロット１５に挿入されるべく、６スロット分だけ離間した状態で平行に延びている。また、各渡り部６３の長さは、３スロット分の長さ（周方向に並ぶ２つのスロット１５を周方向に横切る長さ）となっている。
【０１３３】
第１Ｕ相巻線Ｍｕ５は、周方向にｍｎスロットピッチ毎（本実施形態では６スロットピッチ毎）の合計１０個のスロット１５に巻装されている。第１Ｕ相巻線Ｍｕ５を構成する第１巻線用セグメント１１１、第２巻線用セグメント１１２、第３巻線用セグメント１１３、給電用セグメント５４、中性点用セグメント５５及び接続用セグメント１１４は、電機子コア１２の軸方向の一端側からスロット１５に挿入されている。そして、各スロット１５には６本の電気導体６１が収容されている。各スロット１５内の６本の電気導体６１は、電機子コア１２の径方向に１列に並んでいる。尚、図１５においては、各スロット１５内で径方向に並ぶ６本の電気導体６１を、最も径方向内側に配置されるものから順に左から右へ図示している。また、電気導体６１の長手方向の中央部に図示した数字はスロット番号である。
【０１３４】
第１Ｕ相巻線Ｍｕ５を構成する９本の第１巻線用セグメント１１１は、６スロットピッチ離間した２つのスロット１５（即ち、間に５つのスロット１５を挟んだ２つのスロット１５）にそれぞれが有する一対の電気導体６１が挿入されている。即ち、スロット番号「７」，「１３」，「１９」，「２５」，「３１」，「３７」，「４３」，「４９」，「５５」のスロット１５に、第１巻線用セグメント１１１の一方の電気導体６１（図１５において各第１巻線用セグメント１１１における左側の電気導体６１）がそれぞれ挿入されている。そして、各第１巻線用セグメント１１１の他方の電気導体６１（図１５において各第１巻線用セグメント１１１における右側の電気導体６１）は、一方の電気導体６１が挿入されたスロット１５から周方向の一方側（図１５において右側）に６スロット離間したスロット１５に挿入されている。これら９本の第１巻線用セグメント１１１の一方の電気導体６１（図１５において左側に位置する電気導体６１）は、挿入されたスロット１５内において径方向内側から１番目に位置する。更に、これら９本の第１巻線用セグメント１１１の他方の電気導体６１（図１５において右側に位置する電気導体６１）は、挿入されたスロット１５内において径方向内側から５番目に位置する。
【０１３５】
また、第１Ｕ相巻線Ｍｕ５を構成する９本の第２巻線用セグメント１１２は、６スロットピッチ離間した２つのスロット１５にそれぞれが有する一対の電気導体６１が挿入されている。即ち、スロット番号「７」，「１３」，「１９」，「２５」，「３１」，「３７」，「４３」，「４９」，「５５」のスロット１５に、第２巻線用セグメント１１２の一方の電気導体６１（図１５において各第２巻線用セグメント１１２における左側の電気導体６１）がそれぞれ挿入されている。そして、各第２巻線用セグメント１１２の他方の電気導体６１（図１５において各第２巻線用セグメント１１２における右側の電気導体６１）は、一方の電気導体６１が挿入されたスロット１５から周方向の一方側（図１５において右側）に６スロット離間したスロット１５に挿入されている。これら９本の第２巻線用セグメント１１２の一方の電気導体６１（図１５において左側に位置する電気導体６１）は、挿入されたスロット１５内において径方向内側から３番目に位置する。更に、これら９本の第２巻線用セグメント１１２の他方の電気導体６１（図１５において右側に位置する電気導体６１）は、挿入されたスロット１５内において径方向内側から６番目に位置する。
【０１３６】
また、第１Ｕ相巻線Ｍｕ５を構成する１０本の第３巻線用セグメント１１３は、６スロットピッチ離間した２つのスロット１５にそれぞれが有する一対の電気導体６１が挿入されている。即ち、スロット番号「１」，「７」，「１３」，「１９」，「２５」，「３１」，「３７」，「４３」，「４９」，「５５」のスロット１５に、第３巻線用セグメント１１３の一方の電気導体６１（図１５において各第３巻線用セグメント１１３における左側の電気導体６１）がそれぞれ挿入されている。そして、各第３巻線用セグメント１１３の他方の電気導体６１（図１５において各第３巻線用セグメント１１３における右側の電気導体６１）は、一方の電気導体６１が挿入されたスロット１５から周方向の一方側（図１５において右側）に６スロット離間したスロット１５に挿入されている。これら１０本の第３巻線用セグメント１１３の一方の電気導体６１（図１５において左側に位置する電気導体６１）は、挿入されたスロット１５内において径方向内側から２番目に位置する。更に、これら９本の第１巻線用セグメント１１１の他方の電気導体６１（図１５において右側に位置する電気導体６１）は、挿入されたスロット１５内において径方向内側から４番目に位置する。
【０１３７】
また、第１Ｕ相巻線Ｍｕ５を構成する給電用セグメント５４の電気導体６１は、スロット番号「７」のスロット１５に挿入され、同スロット１５内で径方向内側から６番目に位置する。更に、第１Ｕ相巻線Ｍｕ５を構成する中性点用セグメント５５の電気導体６１は、スロット番号「１」のスロット１５に挿入され、同スロット１５内で径方向内側から１番目に位置する。また、中性点用セグメント５５が挿入されたスロット番号「１」のスロット１５には、接続用セグメント１１４の一方の電気導体６１が挿入されている。接続用セグメント１１４の一方の電気導体６１は、スロット番号「１」のスロット１５で径方向内側から３番目に位置する。そして、接続用セグメント１１４の他方の電気導体６１は、スロット番号「１」のスロット１５から周方向の一方側に６スロット離間したスロット番号「７」のスロット１５に挿入されている。接続用セグメント１１４の一方の電気導体６１は、スロット番号「７」のスロット１５で径方向内側から５番目に位置する。
【０１３８】
従って、図１５及び図１６（ａ）に示すように、電機子コア１２の軸方向の一端側では、各スロット１５内の径方向内側から１番目の電気導体６１と、周方向の一方側（図１５において右側）にｍｎスロットピッチ（本例では６スロットピッチ）離間したスロット１５内の径方向内側から５番目の電気導体６１とが連結部１１６によって連結されている。また、電機子コア１２の軸方向の一端側では、各スロット１５内の径方向内側から３番目の電気導体６１と、周方向の一方側にｍｎスロットピッチ（本例では６スロットピッチ）離間したスロット１５内の径方向内側から６番目の電気導体６１とが連結部１１７によって連結されている。更に、電機子コア１２の軸方向の一端側では、各スロット１５内の径方向内側から２番目の電気導体６１と、周方向の一方側にｍｎスロットピッチ（本例では６スロットピッチ）離間したスロット１５内の径方向内側から４番目の電気導体６１とが連結部１１８によって連結されている。尚、６０個のスロット１５のうち径方向内側から６番目の電気導体６１が給電のために引き出されたスロット１５、即ちスロット番号「７」のスロット１５内の径方向内側から５番目の電気導体６１は、当該スロット番号「７」スロット１５から周方向にｍｎスロットピッチ（本例では６スロットピッチ）離間したスロット番号「１」のスロット１５内の径方向内側から３番目の電気導体６１と連結部１１９によって連結されている。
【０１３９】
図１５及び図１６（ｂ）に示すように、電機子コア１２の軸方向の他端側では、各スロット１５内の径方向内側から６番目の電気導体６１と、周方向の一方側（図１５において右側）にｍｎスロットピッチ（本例では６スロットピッチ）離間したスロット１５内の径方向内側から５番目の電気導体６１とが渡り部６３によって連結されている。また、電機子コア１２の他端側では、各スロット１５内の径方向内側から４番目の電気導体６１と、周方向の一方側にｍｎスロットピッチ（本例では６スロットピッチ）離間したスロット１５内の径方向内側から３番目の電気導体６１とが渡り部６３によって連結されている。更に、電機子コア１２の軸方向の他端側では、各スロット１５内の径方向内側から２番目の電気導体６１と、周方向の一方側にｍｎスロットピッチ（本例では６スロットピッチ）離間したスロット１５内の径方向内側から１番目の電気導体６１とが渡り部６３によって連結されている。このように、電機子コア１２の他端側で所定の電気導体６１同士が連結されることにより、第１巻線用セグメント１１１、第２巻線用セグメント１１２、第３巻線用セグメント１１３、給電用セグメント５４、中性点用セグメント５５及び接続用セグメント１１４が連結されている。
【０１４０】
第１Ｕ相巻線Ｍｕ５は、上記のように構成されることにより、電機子コア１２に分布巻にて巻装されるとともに、電機子コア１２を周方向に２周している。尚、図１５においては、第１Ｕ相巻線Ｍｕ５における１周目の巻線を実線にて図示し、２周目の巻線を破線にて図示している。そして、第１Ｕ相巻線Ｍｕ５において、給電用セグメント５４から始まる１周目の巻線と、２周目の巻線とは、接続用セグメント１１４（図１５では一点鎖線にて図示）によって連結されている。また、第１Ｕ相巻線Ｍｕ５における電機子コア１周分の巻線は、周方向に６スロットピッチ毎のスロット１５に（２ｓ＋１）本ずつ収容された電気導体６１が連結されて構成されている。ｓは自然数であり、本例では「１」である。従って、第１Ｕ相巻線Ｍｕ５は、電機子コア１２の１周分の巻線は、スロット１５あたりの電気導体６１の本数が３本となっている。
【０１４１】
この第１Ｕ相巻線Ｍｕ５において給電用セグメント５４から始まる１周目の巻線は、給電用セグメント５４から辿ると、まず、６スロットずつ離間した３つのスロット１５、即ちスロット番号「１」，「７」，「１３」の３つのスロット１５に、径方向から見て数字の「８」を描くように小巻線Ｍｓ１を形成している。この小巻線Ｍｓ１を構成する電気導体６１は、中央のスロット番号「７」のスロット１５には（２ｓ＋１）本、中央のスロット番号「７」のスロット１５に対して周方向の一方側に位置するスロット番号「１３」のスロット１５には（ｓ＋１）本、中央のスロット番号「７」のスロット１５に対して周方向の他方側に位置するスロット番号「１」のスロット１５にはｓ本収容されている。尚、前述したように本例ではｓは「１」である。また、小巻線Ｍｓ１の周方向の中央のスロット１５であるスロット番号「７」のスロット１５から２ｍｎスロットピッチ毎のスロット番号「１９」，「３１」，「４３」，「５５」のスロット１５を中央のスロット１５として同様の小巻線Ｍｓ１が形成されている。更に、各小巻線Ｍｓ１は、各小巻線Ｍｓ１の周方向の中央となるスロット１５に対して周方向の他方側（図１５において左側）に２ｍｎスロット離間したスロット１５を中央のスロット１５として形成された小巻線Ｍｓ１と連結されている。この小巻線Ｍｓ１同士の連結は、連結される２つの小巻線Ｍｓ１において、周方向の一方側の小巻線Ｍｓ１の周方向の中央となるスロット１５内の径方向内側から６番目の電気導体６１と、周方向の他方側の小巻線Ｍｓ１の周方向の中央となるスロット１５に対して周方向の一方側（周方向の一方側の小巻線Ｍｓ１側）にｍｎスロット離間したスロット１５内の径方向内側から３番目の電気導体６１とを電機子コア１２の軸方向の一端側で連結部１１６によって連結することによりなされている。
【０１４２】
このように、第１Ｕ相巻線Ｍｕ５における１周目の巻線は、２ｍｎスロットピッチ毎に形成された小巻線Ｍｓ１が連結されて、電機子コア１２を１周している。尚、第１Ｕ相巻線Ｍｕ５における１周目の巻線を構成する最後の電気導体６１、即ちスロット番号「１」のスロット１５内の径方向内側から３番目の電気導体６１は、接続用セグメント１１４の一方の電気導体６１である。そして、第１Ｕ相巻線Ｍｕ５における２周目の巻線も、１周目の巻線と同様に、２ｍｎスロットピッチ毎に形成された小巻線Ｍｓ１が連結されて電機子コア１２を１周している。
【０１４３】
電機子巻線Ｍｄを構成する第１Ｕ相巻線Ｍｕ５以外の複数相の巻線、即ち、第１Ｖ相巻線、第１Ｗ相巻線、第２Ｕ相巻線、第２Ｖ相巻線及び第２Ｗ相巻線の各相の巻線は、第１Ｕ相巻線Ｍｕ５と同様に、周方向にｍｎスロットピッチ毎（本例では６スロットピッチ毎）の１０個ずつのスロット１５に巻装されている。また、第１Ｖ相巻線、第１Ｗ相巻線、第２Ｕ相巻線、第２Ｖ相巻線及び第２Ｗ相巻線の各相の巻線は、第１Ｕ相巻線Ｍｕ５と同様に連結された９本の第１巻線用セグメント１１１、９本の第２巻線用セグメント１１２、１０本の第３巻線用セグメント１１３、１本の給電用セグメント５４、１本の中性点用セグメント５５及び１本の接続用セグメント１１４から構成されている。更に、第１Ｖ相巻線、第１Ｗ相巻線、第２Ｕ相巻線、第２Ｖ相巻線及び第２Ｗ相巻線は、それぞれ第１Ｕ相巻線Ｍｕ１に対して周方向の一方側に所定スロットピッチずれた状態で第１Ｕ相巻線Ｍｕ５と同様に電機子コア１２に巻装されている。また、第１Ｕ相巻線Ｍｕ５の給電用引出し部６６、第１Ｖ相巻線の給電用引出し部６６、及び第１Ｗ相巻線の給電用引出し部６６は、給電のために引出されて駆動装置４１の対応するスイッチングトランジスタ４４にそれぞれ接続されている。更に、第１Ｕ相巻線Ｍｕ５の中性点用引出し部６７、第１Ｖ相巻線の中性点用引出し部６７及び第１Ｗ相巻線の中性点用引出し部６７は、互いに接続されて第１系統３相巻線の第１中性点を形成している。また、第２Ｕ相巻線の給電用引出し部６６、第２Ｖ相巻線の給電用引出し部６６、及び第２Ｗ相巻線の給電用引出し部６６は、給電のために引出されて駆動装置４１の対応するスイッチングトランジスタ４４にそれぞれ接続されている。更に、第２Ｕ相巻線の中性点用引出し部６７、第２Ｖ相巻線の中性点用引出し部６７及び第２Ｗ相巻線の中性点用引出し部６７は、互いに接続されて第２系統３相巻線の第２中性点を形成している。
【０１４４】
このようにすると、電機子コア１周分の巻線におけるスロットあたりの電気導体６１の本数が３本である６相の巻線（即ち、第１Ｕ相巻線Ｍｕ５、第１Ｖ相巻線、第１Ｗ相巻線、第２Ｕ相巻線、第２Ｖ相巻線及び第２Ｗ相巻線）を備えた電機子を得ることができる。そして、上記第１実施形態と同様の効果を得ることができる。
【０１４５】
尚、図１５に示す例において、同じスロット１５に挿入される第１巻線用セグメント１１１、第２巻線用セグメント１１２及び第３巻線用セグメント１１３を図１７に示すように構成してもよい。第１巻線用セグメント１１１の連結部１１６、第２巻線用セグメント１１２の連結部１１７及び第３巻線用セグメント１１３の連結部１１８は、電機子コア１２の軸方向の一端側で、周方向に重なっている。更に、連結部１１６の頂点、連結部１１７の頂点及び連結部１１８の頂点は、電機子コア１２の軸方向の一端面からの高さが等しくなっている。このようにすると、それぞれが有する２本の電気導体６１が同じ２つのスロット１５に収容された第１〜第３巻線用セグメント１１１〜１１３において、３つの連結部１１６〜１１８が軸方向に三重に重なる場合に比べて、各相の巻線において電機子コア１２の軸方向の端面から突出した部分であるコイルエンドの軸方向の高さを抑えることができる。その結果、ステータの軸方向の長さを抑えることができる。
【０１４６】
・上記第２実施形態のブラシレスモータ１において、電機子巻線Ｍｂに代えて図１８に示す電機子巻線Ｍｅを電機子コア８２に巻装してもよい。電機子巻線Ｍｅは、第２実施形態の電機子巻線Ｍｂと同様に、Ｕ相巻線、Ｖ相巻線及びＷ相巻線の３相の巻線から構成されており、その相数ｍは「３」である。尚、図１８には、電機子巻線Ｍｅを構成する３相の巻線のうち、Ｕ相巻線Ｍｕ６のみを図示している。また、スロット１５の数は、マグネット２４の磁極の数Ｐ及び電機子巻線Ｍａが有する巻線の相数ｍを用いて、（Ｐ×ｍ×ｎ）個（但し、ｎは自然数）に設定されている。磁極の数Ｐは「４」、相数ｍは「３」、ｎは「１」に設定されており、スロット１５の数は１２個である。
【０１４７】
Ｕ相巻線Ｍｕ６は、２本の第１巻線用セグメント１２１と、２本の第２巻線用セグメント１２２と、１本の第３巻線用セグメント１２３と、１本の給電用セグメント９４と、１本の中性点用セグメント９５とから構成されている。第１巻線用セグメント１２１、第２巻線用セグメント１２２及び第３巻線用セグメント１２３は、上記第２実施形態の第１巻線用セグメント９１と同様に、長手方向と直交する断面の形状が四角形状をなし外周面が絶縁被膜にて被覆された１本の導線を折り返すように屈曲して形成されている。そして、第１巻線用セグメント１２１は、一対の電気導体６１と、これら電気導体６１を長手方向の一端部で連結する連結部１２６と、各電気導体６１の長手方向の他端部から延びる渡り部６３とを有する。また、第２巻線用セグメント１２２は、一対の電気導体６１と、これら電気導体６１を長手方向の一端部で連結する連結部１２７と、各電気導体６１の長手方向の他端部から延びる渡り部６３とを有する。更に、第３巻線用セグメント１２３は、一対の電気導体６１と、これら電気導体６１を長手方向の一端部で連結する連結部１２８と、各電気導体６１の長手方向の他端部から延びる渡り部６３とを有する。各第１〜第３巻線用セグメント１２１〜１２３において、一対の電気導体６１は、３スロットピッチ離間した２つのスロット１５に挿入されるべく、３スロット分だけ離間した状態で平行に延びている。また、各渡り部６３の長さは、１つのスロット１５を周方向に横切る長さとなっている。
【０１４８】
Ｕ相巻線Ｍｕ６は、周方向にｍｎスロットピッチ毎（本例では３スロットピッチ毎）の合計４個のスロット１５に巻装されている。Ｕ相巻線Ｍｕ６を構成する第１巻線用セグメント１２１、第２巻線用セグメント１２２、第３巻線用セグメント１２３、給電用セグメント９４及び中性点用セグメント９５は、電機子コア８２の軸方向の一端側からスロット１５に挿入されている。そして、各スロット１５には３本の電気導体６１が収容されている。各スロット１５内の３本の電気導体６１は、電機子コア８２の径方向に１列に並んでいる。尚、図１８においては、各スロット１５内で径方向に並ぶ３本の電気導体６１を、最も径方向内側に配置されるものから順に左から右へ図示している。また、電気導体６１の長手方向の中央部に図示した数字はスロット番号である。
【０１４９】
Ｕ相巻線Ｍｕ６を構成する２本の第１巻線用セグメント１２１は、３スロットピッチ離間した２つのスロット１５（即ち、間に２つのスロット１５を挟んだ２つのスロット１５）にそれぞれが有する一対の電気導体６１が挿入されている。即ち、スロット番号「１」，「７」のスロット１５に、第１巻線用セグメント１２１の一方の電気導体６１（図１８において各第１巻線用セグメント１２１における左側の電気導体６１）がそれぞれ挿入されている。そして、各第１巻線用セグメント１２１の他方の電気導体６１（図１８において各第１巻線用セグメント１２１における右側の電気導体６１）は、一方の電気導体６１が挿入されたスロット１５から周方向の一方側（図１８において右側）に３スロット離間したスロット１５に挿入されている。これら２本の第１巻線用セグメント１２１の一方の電気導体６１（図１８において左側に位置する電気導体６１）は、挿入されたスロット１５内において径方向内側から３番目に位置する。更に、これら２本の第１巻線用セグメント１２１の他方の電気導体６１（図１８において右側に位置する電気導体６１）は、挿入されたスロット１５内において径方向内側から３番目に位置する。
【０１５０】
また、Ｕ相巻線Ｍｕ６を構成する９本の第２巻線用セグメント１２２は、３スロットピッチ離間した２つのスロット１５にそれぞれが有する一対の電気導体６１が挿入されている。即ち、スロット番号「４」，「１０」のスロット１５に、第２巻線用セグメント１２２の一方の電気導体６１（図１８において各第２巻線用セグメント１２２における左側の電気導体６１）がそれぞれ挿入されている。そして、各第２巻線用セグメント１２２の他方の電気導体６１（図１８において各第２巻線用セグメント１２２における右側の電気導体６１）は、一方の電気導体６１が挿入されたスロット１５から周方向の一方側（図１８において右側）に３スロット離間したスロット１５に挿入されている。これら２本の第２巻線用セグメント１２２の一方の電気導体６１（図１８において左側に位置する電気導体６１）は、挿入されたスロット１５内において径方向内側から２番目に位置する。更に、これら２本の第２巻線用セグメント１２２の他方の電気導体６１（図１８において右側に位置する電気導体６１）は、挿入されたスロット１５内において径方向内側から１番目に位置する。
【０１５１】
また、Ｕ相巻線Ｍｕ６を構成する第３巻線用セグメント１２３は、３スロットピッチ離間した２つのスロット１５にそれぞれが有する一対の電気導体６１が挿入されている。即ち、第３巻線用セグメント１２３は、スロット番号「４」のスロット１５に一方の電気導体６１が挿入され、スロット番号「７」のスロット１５に他方の電気導体６１が挿入されている。そして、第３巻線用セグメント１２３の一方の電気導体６１（図１８において左側に位置する電気導体６１）は、挿入されたスロット１５内において径方向内側から１番目に位置し、他方の電気導体６１（図１８において右側に位置する電気導体６１）は、挿入されたスロット１５内において径方向内側から２番目に位置する。
【０１５２】
また、Ｕ相巻線Ｍｕ６を構成する給電用セグメント９４の電気導体６１は、スロット番号「１」のスロット１５に挿入され、同スロット１５内で径方向内側から２番目に位置する。更に、Ｕ相巻線Ｍｕ６を構成する中性点用セグメント９５の電気導体６１は、スロット番号「１０」のスロット１５に挿入され、同スロット１５内で径方向内側から１番目に位置する。
【０１５３】
そして、電機子コア８２の軸方向の他端側では、スロット番号「１」のスロット１５とスロット番号「１」のスロット１５から周方向の一方側に６スロット離間したスロット番号「７」のスロット１５との２つのスロット１５内の径方向内側から１番目の電気導体６１が、周方向の他方側（図１８において左側）にｍｎスロットピッチ（本例では３スロットピッチ）離間したスロット１５内の径方向内側から３番目の電気導体６１と渡り部６３によって連結されている。また、電機子コア８２の他端側では、スロット番号「１」，「７」のスロット１５内の径方向内側から２番目の電気導体６１が、周方向の一方側（図１８において右側）にｍｎスロットピッチ（本例では３スロットピッチ）離間したスロット１５内の径方向内側から２番目の電気導体６１と渡り部６３によって連結されている。更に、電機子コア８２の軸方向の他端側では、スロット番号「１」，「７」のスロット１５内の径方向内側から３番目の電気導体６１が、周方向の一方側にｍｎスロットピッチ（本例では３スロットピッチ）離間したスロット１５内の径方向内側から１番目の電気導体６１と渡り部６３によって連結されている。このように、電機子コア８２の他端側で所定の電気導体６１同士が連結されることにより、第１巻線用セグメント１２１、第２巻線用セグメント１２２、第３巻線用セグメント１２３、給電用セグメント９４及び中性点用セグメント９５が連結されている。
【０１５４】
Ｕ相巻線Ｍｕ６は、上記のように構成されることにより、電機子コア８２に分布巻にて巻装されるとともに、電機子コア８２を周方向に１周している。また、電機子コア８２を１周するＵ相巻線Ｍｕ６は、周方向に３スロットピッチ毎のスロット１５に（２ｓ＋１）本ずつ収容された電気導体６１が連結されて構成されている。ｓは自然数であり、本例では「１」である。従って、Ｕ相巻線Ｍｕ６は、スロット１５あたりの電気導体６１の本数が３本となっている。
【０１５５】
このＵ相巻線Ｍｕ６を、給電用セグメント９４から辿ると、まず、３スロットずつ離間した３つのスロット１５、即ちスロット番号「１」，「４」，「７」の３つのスロット１５に、径方向から見て数字の「８」を描くように小巻線Ｍｓ２を形成している。この小巻線Ｍｓ２を構成する電気導体６１は、中央のスロット番号「４」のスロット１５には（２ｓ＋１）本、中央のスロット番号「４」のスロット１５に対して周方向の一方側（この場合、図１８において左側）に位置するスロット番号「１」のスロット１５には（ｓ＋１）本、中央のスロット番号「４」のスロット１５に対して周方向の他方側（この場合、図１８において右側）に位置するスロット番号「７」のスロット１５にはｓ本収容されている。尚、前述したように本例ではｓは「１」である。また、小巻線Ｍｓ２の周方向の中央のスロット１５であるスロット番号「４」のスロット１５から２ｍｎスロットピッチ離間したスロット番号「１０」のスロット１５を中央のスロット１５として小巻線Ｍｓ２が形成されている。スロット番号「７」，「１０」，「１」の３つのスロット１５に巻装された当該小巻線Ｍｓ２は、スロット番号「７」のスロット１５内の１本の電気導体６１であってスロット１５内で径方向内側から２番目の電気導体６１と、スロット番号「４」のスロット１５内の１本の電気導体６１であって径方向内側から１番目の電気導体６１とが電機子コア８２の一端側で連結部１２８によって連結されることにより、スロット番号「４」のスロット１５を中央のスロット１５として形成された小巻線Ｍｓ２と連結されている。このように、Ｕ相巻線Ｍｕ６は、給電用引出し部６６から中性点用引出し部６７まで、２ｍｎスロットピッチ毎に形成された小巻線Ｍｓ２が連結されて電機子コア８２を１周している。
【０１５６】
電機子巻線Ｍｅを構成するＵ相巻線Ｍｕ６以外の複数相の巻線、即ちＶ相巻線及びＷ相巻線は、Ｕ相巻線Ｍｕ６と同様に、周方向にｍｎスロットピッチ毎（本例では３スロットピッチ毎）の合計４個のスロット１５にそれぞれ巻装されている。また、Ｖ相巻線及びＷ相巻線は、Ｕ相巻線Ｍｕ６と同様に連結された２本の第１巻線用セグメント１２１、２本の第２巻線用セグメント１２２、１本の第３巻線用セグメント１２３、１本の給電用セグメント９４及び１本の中性点用セグメント９５から構成されている。更に、Ｖ相巻線は、Ｕ相巻線Ｍｕ６に対して周方向の一方側に１スロットピッチずれた状態でＵ相巻線Ｍｕ６と同様に電機子コア８２に巻装され、Ｗ相巻線は、Ｕ相巻線Ｍｕ６に対して周方向の一方側に２スロットピッチずれた状態でＵ相巻線Ｍｕ６と同様に電機子コア８２に巻装されている。そして、Ｕ相巻線Ｍｕ６の給電用引出し部６６、Ｖ相巻線の給電用引出し部６６、及びＷ相巻線の給電用引出し部６６は、給電のために引出されて駆動装置４１の対応するスイッチングトランジスタ４４にそれぞれ接続されている。更に、Ｕ相巻線Ｍｕ６の中性点用引出し部６７、Ｖ相巻線の中性点用引出し部６７、及びＷ相巻線の中性点用引出し部６７は、互いに接続されて中性点を形成している。即ち、Ｕ相巻線Ｍｕ３、Ｖ相巻線及びＷ相巻線からなる電機子巻線Ｍｅは、Ｙ結線の３相巻線である。このようにしても、上記第２実施形態と同様の効果を得ることができる。
【０１５７】
・上記第１実施形態では、同じ２つのスロット１５に一対の電気導体６１が挿入された第１巻線用セグメント５１、第２巻線用セグメント５２及び第３巻線用セグメント５３のうち、第２巻線用セグメント５２と第３巻線用セグメント５３とは、連結部６４，６５が周方向に重なっている。更に、当該連結部６４の頂点Ｐ２と、当該連結部６５の頂点Ｐ３とは、電機子コア１２の軸方向の一端面からの高さが等しくなっている。しかしながら、同じ２つのスロット１５に一対の電気導体６１が挿入された第１巻線用セグメント５１、第２巻線用セグメント５２及び第３巻線用セグメント５３は、連結部６２，６４，６５が周方向に重なり、連結部６２，６４，６５の頂点における電機子コア１２の軸方向の一端面からの高さが等しくなるように構成されてもよい。このようにすると、電機子コア１２の軸方向の一端側において、電機子巻線Ｍａにおける電機子コア１２の軸方向の端面から突出した部分であるコイルエンドの軸方向の高さをより抑えることができる。その結果、ステータ１１の軸方向の長さをより抑えることができる。また、同じ２つのスロット１５に一対の電気導体６１が挿入された第１巻線用セグメント５１、第２巻線用セグメント５２及び第３巻線用セグメント５３は、連結部６２，６４，６５の頂点における電機子コア１２の軸方向の一端面からの高さが互いに異なるように構成されてもよい。
【０１５８】
・上記各実施形態では、各スロット１５に挿入された複数の電気導体６１は、各スロット１５の内部で径方向に一列に並んでいる。しかしながら、各スロット１５に挿入された複数の電気導体６１は、各スロット１５の内部で必ずしも径方向に一列に並んでいなくてもよい。
【０１５９】
・上記第１実施形態では、電機子巻線Ｍａを構成する第１巻線用セグメント５１、第２巻線用セグメント５２及び第３巻線用セグメント５３は、周方向にｍｎスロットピッチ離間した２個のスロット１５に収容される一対の電気導体６１を有する。しかしながら、電機子巻線Ｍａを構成するセグメント導体は、電気導体６１を１本のみ備えたものであってもよい。この場合、電機子巻線Ｍａを構成するセグメント導体は、例えば、電気導体６１の長手方向の両端部に渡り部６３を有する形状とされる。そして、電機子コア１２の軸方向の両側で、互いに接続される電気導体６１から延びる渡り部６３同士を溶接等により接続する。また、例えば、電機子巻線Ｍａを構成するセグメント導体は、複数の棒状の電気導体６１と、電機子コア１２の軸方向の両側に配置される複数の連結導体とから構成されてもよい。この場合、各電気導体６１は、電機子コア１２の軸方向の両側で連結導体によって周方向にｍｎスロットピッチ離間した電気導体６１と連結されている。尚、このことは、第２実施形態の電機子巻線Ｍｂについても同様である。
【０１６０】
・各相の巻線（即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２）が有する周方向に複数の小巻線Ｍｓ１は、周方向にｍｎスロットピッチ毎の３個のスロット１５に巻装されているのであれば、上記第１実施形態の構成に限らない。各小巻線Ｍｓ１は、周方向にｍｎスロットピッチ毎の３個のスロット１５のうち中央のスロット１５に収容された（２ｓ＋１）本の電気導体６１と、中央のスロット１５に対して周方向の一方側に位置するスロット１５に収容された（ｓ＋１）本の電気導体６１と、中央のスロット１５に対して周方向の他方側に位置するスロット１５に収容されたｓ本の電気導体６１とを有する構成であればよい。但し、この小巻線Ｍｓ１においては、該小巻線Ｍｓ１が巻装された３個のスロット１５のうち中央のスロット１５内の（２ｓ＋１）本の電気導体６１のうちの何れかの電気導体６１と、中央のスロット１５に対して周方向の一方側に位置するスロット１５内の（ｓ＋１）本の電気導体６１のうちの何れかの電気導体６１とが電機子コア１２の軸方向の両側のうちの一側で連結される。また、同小巻線Ｍｓ１においては、中央のスロット１５内の（２ｓ＋１）本の電気導体６１のうちの何れかの電気導体６１と、中央のスロット１５に対して周方向の他方側に位置するスロット１５内のｓ本の電気導体６１のうちの何れかの電気導体６１とが電機子コア１２の軸方向の両側のうちの他側で連結される。更に、周方向に隣り合う小巻線Ｍｓ１が巻装された３個ずつのスロット１５は、中央のスロット１５が２ｍｎスロットピッチ離間する。この場合においても、上記第１実施形態の（２）と同様の効果を得ることができる。尚、このことは、上記第２実施形態の小巻線Ｍｓ２についても同様である。
【０１６１】
・上記第１実施形態では、電機子巻線Ｍａを構成する各相の巻線（即ち、第１Ｕ相巻線Ｍｕ１、第１Ｖ相巻線Ｍｖ１、第１Ｗ相巻線Ｍｗ１、第２Ｕ相巻線Ｍｕ２、第２Ｖ相巻線Ｍｖ２及び第２Ｗ相巻線Ｍｗ２）は、電機子コア１周分の巻線におけるスロット１５あたりの電気導体６１の本数が３本となっている。しかしながら、電機子コア１周分の巻線におけるスロット１５あたりの電気導体６１の本数は、奇数本であれば３本に限らない。この場合、電機子コア１２のスロット１５の数は、磁極の数Ｐ、電機子巻線Ｍａの相数ｍを用いて、Ｐ×ｍ×ｎ個（但し、ｎは自然数）とされる。そして、各相の巻線における電機子コア１周分の巻線は、周方向にｍｎスロットピッチ毎のスロットに（２ｓ＋１）本（但し、ｓは自然数）ずつ収容された電気導体６１が連結されて構成される。このようにしても、各相の巻線において、電機子コア１周分の巻線におけるスロット１５あたりの電気導体６１の本数が（２ｓ＋１）本（但し、ｓは自然数）、即ち奇数本となっている。従って、電機子コア１周分の巻線におけるスロット１５あたりの電気導体６１が奇数本となるように各相の巻線を形成することが可能となる。その結果、各相の巻線の設計上の自由度を高めることができる。尚、このことは、上記第２実施形態の電機子巻線Ｍｂについても同様である。
【０１６２】
・上記第１実施形態では、電機子巻線Ｍａを構成する第１巻線用セグメント５１、第２巻線用セグメント５２、第３巻線用セグメント５３、給電用セグメント５４、中性点用セグメント５５及び接続用セグメント５６は、長手方向と直交する断面の形状が四角形状をなし外周面が絶縁被膜にて被覆された１本の導線からそれぞれ形成されている。しかしながら、第１巻線用セグメント５１、第２巻線用セグメント５２、第３巻線用セグメント５３、給電用セグメント５４、中性点用セグメント５５及び接続用セグメント５６は、長手方向と直交する断面の形状が円形状をなす１本の導線からそれぞれ形成されてもよい。このことは、上記第２実施形態の電機子巻線Ｍｂを構成する第１巻線用セグメント９１、第２巻線用セグメント９２、第３巻線用セグメント９３、給電用セグメント９４及び中性点用セグメント９５についても同様である。
【０１６３】
・上記第１実施形態の電機子巻線Ｍａを構成する各相の巻線は、複数のセグメント導体（即ち、第１巻線用セグメント５１、第２巻線用セグメント５２、第３巻線用セグメント５３、給電用セグメント５４、中性点用セグメント５５及び接続用セグメント５６）を連結して形成されたＳＣ巻線である。しかしながら、電機子巻線Ｍａを構成する各相の巻線は、長尺状の導線を電機子コア１２のティースに巻き付けて形成される連続巻線にて形成されたものであってもよい。この場合、各相の巻線は、給電用引出し部６６から中性点用引出し部６７まで小巻線Ｍｓ１を連続して形成するように１本の導線を電機子コア１２に巻回して形成される。そして、この各相の巻線においては、スロット１５内に配置された部分が電気導体となる。このことは、上記第２実施形態の電機子巻線Ｍｂについても同様である。
【０１６４】
・上記第１実施形態では、モータケース２に固定されるステータ１１が電機子となっている。しかしながら、周方向にＰ個（但し、Ｐは２以上の整数）の磁極が並ぶようにマグネット２４をヨーク３の内周面に固定し、電機子巻線Ｍａが巻装された電機子コア１２を回転軸２２に一体回転可能に固定してもよい。即ち、電機子をロータに設けてもよい。このことは、第２実施形態のステータ８１についても同様である。
【０１６５】
上記各実施形態及び上記各変更例から把握できる技術的思想を以下に記載する。
（イ）請求項３又は請求項４に記載の電機子において、６相の前記巻線を備え、各前記スロット内では、６本の前記電気導体が径方向に一列に並んでおり、前記電機子コアの軸方向の一端側では、周方向にｍｎスロットピッチ離間した２つの前記スロットのうち一方の前記スロット内の径方向内側から１番目の前記電気導体と他方の前記スロット内の径方向内側から６番目の前記電気導体とが、一方の前記スロット内の径方向内側から３番目の前記電気導体と他方の前記スロット内の径方向内側から５番目の前記電気導体とが、一方の前記スロット内の径方向内側から４番目の前記電気導体と他方の前記スロット内の径方向内側から２番目の前記電気導体とがそれぞれ連結され、更に、複数の前記スロットのうち径方向内側から６番目の前記電気導体が給電用の電気導体とされた前記スロット内の径方向内側から５番目の前記電気導体は、当該前記スロットから周方向にｍｎスロットピッチ離間した前記スロットであって径方向内側から３番目の前記電気導体が中性点を形成するための電気導体とされた前記スロット内の径方向内側から１番目の前記電気導体と接続され、前記電機子コアの軸方向の他端側では、径方向内側から６番目の前記電気導体と径方向内側から５番目の前記電気導体とであって周方向にｍｎスロットピッチ離間した２本の前記電気導体が連結され、径方向内側から４番目の前記電気導体と径方向内側から３番目の前記電気導体とであって周方向にｍｎスロットピッチ離間した２本の前記電気導体が連結され、更に、径方向内側から２番目の前記電気導体と径方向内側から１番目の前記電気導体とであって周方向にｍｎスロットピッチ離間した２本の前記電気導体が連結され、各相の前記巻線は、前記電機子コアに分布巻にて巻装されて前記電機子コアを２周するとともに、前記電機子コア１周分の巻線における前記スロットあたりの前記電気導体の本数が３本であることを特徴とする電機子。
【０１６６】
この構成によれば、電機子コア１周分の巻線におけるスロットあたりの電気導体の本数が３本である６相の巻線を備えた電機子を得ることができる。
【符号の説明】
【０１６７】
１１，８１…電機子としてのステータ、１２，８２…電機子コア、１５…スロット、５１…セグメント導体としての第１巻線用セグメント、５２…セグメント導体としての第２巻線用セグメント、５３…セグメント導体としての第３巻線用セグメント、５４…セグメント導体としての給電用セグメント、５５…セグメント導体としての中性点用セグメント、５６…セグメント導体としての接続用セグメント、６１…電気導体、６２，６４，６５，１０２，１１６〜１１８，１２６〜１２８…連結部、Ｍｕ１…巻線としての第１Ｕ相巻線、Ｍｖ１…巻線としての第１Ｖ相巻線、Ｍｗ１…巻線としての第１Ｗ相巻線、Ｍｕ２…巻線としての第２Ｕ相巻線、Ｍｖ２…巻線としての第２Ｖ相巻線、Ｍｗ２…巻線としての第２Ｗ相巻線、Ｍｕ３…巻線としてのＵ相巻線、Ｍｖ３…巻線としてのＶ相巻線、Ｍｗ３…巻線としてのＷ相巻線、Ｍｕ４…巻線としての第１Ｕ相巻線、Ｍｕ５…巻線としての第１Ｕ相巻線、Ｍｕ６…巻線としてのＵ相巻線、Ｍｓ１，Ｍｓ２…小巻線、Ｎ１…中性点としての第１中性点、Ｎ２…中性点としての第２中性点、Ｐ２，Ｐ３…頂点。
【図１】
2014117072.tif 000003
【図２】
2014117072.tif 000004
【図３】
2014117072.tif 000005
【図４】
2014117072.tif 000006
【図５】
2014117072.tif 000007
【図６】
2014117072.tif 000008
【図７】
2014117072.tif 000009
【図８】
2014117072.tif 000010
【図９】
2014117072.tif 000011
【図１０】
2014117072.tif 000012
【図１１】
2014117072.tif 000013
【図１２】
2014117072.tif 000014
【図１３】
2014117072.tif 000015
【図１４】
2014117072.tif 000016
【図１５】
2014117072.tif 000017
【図１６】
2014117072.tif 000018
【図１７】
2014117072.tif 000019
【図１８】
2014117072.tif 000020